(57)【要約】【課題】  畝面の左右傾斜に対応するローリング機構を簡略な構成で、且つ作動精度を向上させると共に、傾斜操作レバーを使用時には操作しやすく、非使用時には作業者に接触しにくい構成の移植機を提供すること。【解決手段】  圃場を走行する走行車体に、苗を圃場に植え付ける植付装置を設け、走行車体の左右方向の傾斜角度を変更する傾斜調節機構を設け、傾斜調節機構を作動させて傾斜角度を操作する傾斜操作部材３１３を設け、傾斜操作部材３１３は、傾斜調節機構を、走行車体が左右方向に傾斜すると自動的に作動させる自動状態と、傾斜操作部材３１３の操作に対応して作動させる手動状態に切替可能とし、走行車体に、作業者が搭乗する作業座席を設け、傾斜操作部材３１３は、作業座席の下方に設け、傾斜操作部材３１３は、手動状態に切り替えると作業座席により上方を覆われない位置に移動する構成とする。【選択図】図２５
2020195322.tif 000002
【特許請求の範囲】
【請求項１】
走行装置（４４，４４）で圃場を走行する走行車体（４０）に、苗を圃場に植え付ける植付装置（２０ａ，２０ｂ）を設け、該走行車体（４０）の左右方向の傾斜角度を変更する傾斜調節機構を設け、該傾斜調節機構を作動させて傾斜角度を操作する傾斜操作部材（３１３）を設けた移植機において、
該傾斜操作部材（３１３）は、前記傾斜調節機構を、前記走行車体（４０）が左右方向に傾斜すると自動的に作動させる自動状態と、傾斜操作部材（３１３）の操作に対応して作動させる手動状態に切替可能としたことを特徴とする移植機。
【請求項２】
前記走行車体（４０）に、作業者が搭乗する作業座席（４６）を設け、前記傾斜操作部材（３１３）は、該作業座席（４６）の下方に設け、
前記傾斜操作部材（３１３）は、手動状態に切り替えると前記作業座席（４６）により上方を覆われない位置に移動することを特徴とする請求項１に記載の移植機。
【請求項３】
前記傾斜調節機構は、前記走行装置（４４，４４）を上下動させる傾斜油圧シリンダ（３１０）と、作動油を移動させて該傾斜油圧シリンダ（３１０）を伸縮させる油圧バルブ（３１４）と、前記走行車体（４０）の左右方向の傾斜に合わせて該油圧バルブ（３１４）を作動させる傾斜感知アーム（３１６）で構成し、
前記傾斜操作部材（３１３）を自動状態に切り替えると前記傾斜感知アーム（３１６）と共に回動可能になる自動切替プレート（３２４）を設けると共に、
前記傾斜操作部材（３１３）を手動状態に切り替えると傾斜操作部材（３１３）の操作に合わせて前記傾斜感知アーム（３１６）を回動させる手動切替プレート（３２６）を設けたことを特徴とする請求項１または２に記載の移植機。
【請求項４】
前記走行車体（４０）の左右方向の傾斜を検知する、左右の傾斜検知部材（３８０，３８０）を各々回動自在に設け、
前記傾斜感知アーム（３１６）は、回動ピン（３１９）を中心に回動可能に設け、該回動ピン（３１９）の上部に前記左右の傾斜検知部材（３８０，３８０）の一方を連結し、該回動ピン（３１９）の下部に前記左右の傾斜検知部材（３８０，３８０）の他方を連結し、前記走行車体（４０）の左右傾斜に合わせて左右回動して前記油圧バルブ（３１４）を作動させる構成としたことを特徴とする請求項３に記載の移植機。
【請求項５】
前記左右の傾斜検知部材（３８０，３８０）のうち、一方は前記傾斜感知アーム（３１６）の第１取付ピン（３１６ａ）に連結し、他方は前記自動切替プレート（３２４）の第２取付ピン（３２５）に連結する構成としたことを特徴とする請求項４に記載の移植機。
【請求項６】
作業者が投入した苗を前記植付装置（２０ａ，２０ｂ）に搬送する苗供給装置（４３）を設け、
該苗供給装置（４３）は、苗を収容して周回移動する複数の苗収容部材（２２）と、該複数の苗収容部材（２２）を周回移動させる駆動力を伝動する苗供給伝動部材（２７）と、該苗収容部材（２２）の下部に開閉可能に設ける蓋部材（２２ａ）と、該蓋部材（２２ａ）を所定の位置で開放させて苗を前記植付装置（２０ａ，２０ｂ）に落下させる落下位置調節部材（３４０）で構成し、
前記植付装置（２０ａ，２０ｂ）の左右間隔を調節可能に構成すると共に、前記苗供給伝動部材（２７）の位相を変更すると苗供給装置（４３）の搬送速度を前記植付装置（２０ａ，２０ｂ）の左右間隔に合わせて変更される構成とし、
該落下位置調節部材（３４０）に、前記植付装置（２０ａ，２０ｂ）の左右間隔に対応する目印部（３４１Ｌ，３４１Ｒ）を形成したことを特徴とする請求項１から５のいずれか１項に記載の移植機。
【請求項７】
前記苗収容部材（２２）の周回移動を案内する周回案内部材（３４２）を前記苗供給装置（４３）に設け、
該周回案内部材（３４２）の取付プレート（３４４Ｃ，３４４Ｌ，３４４Ｒ）の下部に、前記落下位置調節部材（３４０）に形成した取付孔部（３４５）に入り込む取付突起（３４６）を形成したことを特徴とする請求項６に記載の移植機。
【発明の詳細な説明】
【技術分野】
【０００１】
本発明は、玉葱やレタス等の野菜苗を圃場に移植する移植機に関するものである。
【背景技術】
【０００２】
従来、作業者が苗供給装置に苗を投入し、投入された苗を苗植付装置で植え付ける移植機が知られている（特許文献１、２）。
【０００３】
特許文献１に記載の移植機には、苗を植え付ける際に苗の周囲に盛り上がる土を均し固める鎮圧装置が、苗植付装置と同数、左右間隔を空けて設けられており、これらの鎮圧装置は畝面の高さに合わせて回動自在に装着されている。この左右の鎮圧装置の各々の回動量の差に基づき、油圧バルブのバルブピンの開度を変えてローリング油圧シリンダを伸縮させることで、機体の姿勢が畝面に対して水平に保たれる構成としている。
【０００４】
これにより、苗植付装置が畝面に対して略垂直な姿勢に保たれるので、苗の植付姿勢が傾斜姿勢になることが防止される。
【０００５】
また、特許文献２に記載の移植機には、作業座席の側方下部に、畝面の左右の高さの差に合わせて機体の傾斜が自動調節される自動状態と、作業者の操作に合わせて機体を任意の左右傾斜角度に変更し、作業開始時点から機体の傾斜を畝面に合わせる手動状態に切替可能な、傾斜操作レバーが設けられている。
【０００６】
これにより、畝面が元々左右傾斜している圃場でも、機体を左右傾斜させることで、苗植付装置を畝面に対して略垂直な姿勢にして植付作業を行うことができる。
【先行技術文献】
【特許文献】
【０００７】
【特許文献１】特開２０１０−  ３５４８３号公報
【特許文献２】特開２０１２−２２３１１２号公報
【発明の概要】
【発明が解決しようとする課題】
【０００８】
しかしながら、特許文献１の移植機では、左右の鎮圧装置の回動に連動して後端部側の間隔が変化するセンサアーム部に、油圧バルブのバルブピンの開度を変更するセンサワイヤが設けられる構造であるので、構成が複雑であり、メンテナンス作業の能率が悪く、また、感度の調節が繊細であり、機体の左右傾斜が畝面の左右傾斜に対応せず、苗の植付姿勢が傾斜したものとなる問題がある。
【０００９】
また、特許文献２の移植機では、傾斜操作レバーが作業座席の側方下部に設けられていることにより、作業座席に搭乗した作業者は、作業座席に腕の移動を制限された状態で傾斜操作レバーを操作する必要があり、畝面の傾斜に合わせて傾斜操作レバーを操作するときの操作性が悪いという問題点がある。
【００１０】
作業座席に干渉を受けることを防止するには、傾斜操作レバーを操作する際に作業走行を一旦停止し、作業座席から離れて操作すればよいが、作業走行が中断されることにより、作業に要する時間が長くなる問題が生じる。
【００１１】
さらに、作業者が機体上を移動する際、傾斜操作レバーに足が接触し、自動状態と手動状態が意図せず切り替えられ、畝面が左右傾斜している場所で機体が左右傾斜せず、苗が傾斜姿勢で植え付けられる問題や、作業者が足をぶつけ、痛みなどで作業への集中力が低下する問題がある。
【００１２】
本発明は、従来の課題を考慮して、畝面の左右傾斜に対応するローリング機構を簡略な構成で、且つ作動精度を向上させると共に、傾斜操作レバーを使用時には操作しやすく、非使用時には作業者に接触しにくい構成の移植機を提供することを目的とする。
【課題を解決するための手段】
【００１３】
上記課題を解決するために、次のような技術的手段を講じた。
【００１４】
すなわち、請求項１に係る発明は、走行装置（４４，４４）で圃場を走行する走行車体（４０）に、苗を圃場に植え付ける植付装置（２０ａ，２０ｂ）を設け、該走行車体（４０）の左右方向の傾斜角度を変更する傾斜調節機構を設け、該傾斜調節機構を作動させて傾斜角度を操作する傾斜操作部材（３１３）を設けた移植機において、該傾斜操作部材（３１３）は、前記傾斜調節機構を、前記走行車体（４０）が左右方向に傾斜すると自動的に作動させる自動状態と、傾斜操作部材（３１３）の操作に対応して作動させる手動状態に切替可能としたことを特徴とする移植機とした。
【００１５】
請求項２に係る発明は、前記走行車体（４０）に、作業者が搭乗する作業座席（４６）を設け、前記傾斜操作部材（３１３）は、該作業座席（４６）の下方に設け、前記傾斜操作部材（３１３）は、手動状態に切り替えると前記作業座席（４６）により上方を覆われない位置に移動することを特徴とする請求項１に記載の移植機とした。
【００１６】
請求項３に係る発明は、前記傾斜調節機構は、前記走行装置（４４，４４）を上下動させる傾斜油圧シリンダ（３１０）と、作動油を移動させて該傾斜油圧シリンダ（３１０）を伸縮させる油圧バルブ（３１４）と、前記走行車体（４０）の左右方向の傾斜に合わせて該油圧バルブ（３１４）を作動させる傾斜感知アーム（３１６）で構成し、前記傾斜操作部材（３１３）を自動状態に切り替えると前記傾斜感知アーム（３１６）と共に回動可能になる自動切替プレート（３２４）を設けると共に、前記傾斜操作部材（３１３）を手動状態に切り替えると傾斜操作部材（３１３）の操作に合わせて前記傾斜感知アーム（３１６）を回動させる手動切替プレート（３２６）を設けたことを特徴とする請求項１または２に記載の移植機とした。
【００１７】
請求項４に係る発明は、前記走行車体（４０）の左右方向の傾斜を検知する、左右の傾斜検知部材（３８０，３８０）を各々回動自在に設け、前記傾斜感知アーム（３１６）は、回動ピン（３１９）を中心に回動可能に設け、該回動ピン（３１９）の上部に前記左右の傾斜検知部材（３８０，３８０）の一方を連結し、該回動ピン（３１９）の下部に前記左右の傾斜検知部材（３８０，３８０）の他方を連結し、前記走行車体（４０）の左右傾斜に合わせて左右回動して前記油圧バルブ（３１４）を作動させる構成としたことを特徴とする請求項３に記載の移植機とした。
【００１８】
請求項５に係る発明は、前記左右の傾斜検知部材（３８０，３８０）のうち、一方は前記傾斜感知アーム（３１６）の第１取付ピン（３１６ａ）に連結し、他方は前記自動切替プレート（３２４）の第２取付ピン（３２５）に連結する構成としたことを特徴とする請求項４に記載の移植機とした。
【００１９】
請求項６に係る発明は、作業者が投入した苗を前記植付装置（２０ａ，２０ｂ）に搬送する苗供給装置（４３）を設け、該苗供給装置（４３）は、苗を収容して周回移動する複数の苗収容部材（２２）と、該複数の苗収容部材（２２）を周回移動させる駆動力を伝動する苗供給伝動部材（２７）と、該苗収容部材（２２）の下部に開閉可能に設ける蓋部材（２２ａ）と、該蓋部材（２２ａ）を所定の位置で開放させて苗を前記植付装置（２０ａ，２０ｂ）に落下させる落下位置調節部材（３４０）で構成し、前記植付装置（２０ａ，２０ｂ）の左右間隔を調節可能に構成すると共に、前記苗供給伝動部材（２７）の位相を変更すると苗供給装置（４３）の搬送速度を前記植付装置（２０ａ，２０ｂ）の左右間隔に合わせて変更される構成とし、該落下位置調節部材（３４０）に、前記植付装置（２０ａ，２０ｂ）の左右間隔に対応する目印部（３４１Ｌ，３４１Ｒ）を形成したことを特徴とする請求項１から５のいずれか１項に記載の移植機とした。
【００２０】
請求項７に係る発明は、前記苗収容部材（２２）の周回移動を案内する周回案内部材（３４２）を前記苗供給装置（４３）に設け、該周回案内部材（３４２）の取付プレート（３４４Ｃ，３４４Ｌ，３４４Ｒ）の下部に、前記落下位置調節部材（３４０）に形成した取付孔部（３４５）に入り込む取付突起（３４６）を形成したことを特徴とする請求項６に記載の移植機とした。
【発明の効果】
【００２１】
請求項１の発明は、傾斜操作部材（３１３）を自動状態に切り替えることにより、走行車体（４０）が圃場の傾斜により左右傾斜姿勢になると、傾斜調節機構が作動して走行車体（４０）を圃場面と水平乃至略水平な姿勢に変更されるので、植付装置（２０ａ，２０ｂ）が圃場面に対して傾斜した姿勢で苗を植え付けることが防止される。
【００２２】
また、傾斜操作部材（３１３）を手動状態に切り替えることにより、圃場の傾斜に合わせて走行車体（４０）を傾斜させた状態で苗の植付作業走行を行うことができるので、植え始めから苗の植付姿勢を安定させることができる。
【００２３】
請求項２の発明は、請求項１に係る発明の効果に加えて、傾斜操作部材（３１３）を手動状態に切り替えると作業座席（４６）に上方を覆われない位置に移動することにより、作業者が作業座席（４６）に座ったまま傾斜操作部材（３１３）を操作しやすくなるので、圃場の傾斜が変化した際に走行車体（４０）の傾斜角度を調節操作でき、苗の植付姿勢が乱れることが防止される。
【００２４】
また、傾斜操作部材（３１３）が手動状態でないときは、作業座席（４６）の下方に位置することにより、作業者の足が傾斜操作部材（３１３）に接触することを防止でき、意図しない操作により傾斜調節機構が作動しなくなることが防止される。
【００２５】
請求項３の発明は、請求項１または２に係る発明の効果に加えて、傾斜操作部材（３１３）の操作により、傾斜感知アーム（３１６）を自動切替プレート（３２４）または手動切替プレート（３２６）のどちらか一方と共にのみ回動させることができるので、自動状態に設定中に傾斜調節機構が作動しない、あるいは手動状態に設定中に傾斜調節機構が作動することにより、苗の植付姿勢が乱れることが防止される。
【００２６】
請求項４の発明は、請求項３に係る発明の効果に加えて、回動ピン（３１９）を支点に回動する傾斜感知アーム（３１６）の上部及び下部に、左右の傾斜検知部材（３８０，３８０）を各々連結したことにより、傾斜感知アーム（３１６）を左右方向に回動させて油圧バルブ（３１４）を作動させ、傾斜油圧シリンダ（３１０）を伸縮させることができるので、走行車体（４０）を圃場面に対して水平乃至略水平な姿勢とすることができ、苗の植付精度が向上する。
【００２７】
請求項５の発明は、請求項４に係る発明の効果に加えて、左右の傾斜検知部材（３８０，３８０）のうち、一方を傾斜感知アーム（３１６）の第１取付ピン（３１６ａ）に連結し、他方を自動切替プレート（３２４）の第２取付ピン（３２５）に連結することにより、左右の傾斜検知部材（３８０，３８０）の回動に合わせて適切な方向に傾斜感知アーム（３１６）を左右方向に回動させることができるので、走行車体（４０）が誤った方向に傾斜することが防止され、苗の植付精度が向上する。
【００２８】
請求項６にかかる発明により、請求項１から５のいずれか１項に係る発明の効果に加えて、落下位置調節部材（３４０）に植付装置（２０ａ，２０ｂ）に対応する目印部（３４１Ｌ，３４１Ｒ）を形成したことにより、植付装置（２０ａ，２０ｂ）の左右間隔を変更したときに苗供給伝動部材（２７）の位相を調節し忘れ、苗が植付装置（２０ａ，２０ｂ）に入り込めない位置で落下供給されることが防止され、苗が圃場に植え付けられなくなることが防止される。
【００２９】
請求項７にかかる発明により、請求項６に係る発明の効果に加えて、取付プレート（３４４Ｃ，３４４Ｌ，３４４Ｒ）の下部に形成する取付突起（３４６）を落下位置調節部材（３４０）の取付孔部（３４５）に入り込ませることにより、ボルト等の固定部材を介して周回案内部材（３４２）を着脱する際、周回案内部材（３４２）が回転することが防止され、着脱作業に要する時間が軽減される。
【図面の簡単な説明】
【００３０】
【図１】移植機の左側面図
【図２】移植機の右側面図
【図３】移植機の背面図
【図４】移植機の正面図
【図５】移植機の平面図
【図６】機体前側のバンパーの周辺を示す要部平面図
【図７】機体前側のバンパーの周辺を示す要部側面図
【図８】機体前側のバンパーの周辺を示す要部斜視図
【図９】昇降機構と左右の植付ホッパの条間調節機構を示す側面図
【図１０】昇降機構と左右の植付ホッパの条間調節機構を示す平面図
【図１１】昇降機構と左右の植付ホッパの条間調節機構を示す背面図
【図１２】昇降機構と左右の植付ホッパの条間調節機構を示す斜視図
【図１３】植付ホッパの開閉機構の要部を示す背面図
【図１４】（ａ）条間調節プレートを示す要部の背面視図              （ｂ）条間調節プレートを示す要部の正面視図
【図１５】（ａ）昇降用油圧シリンダと収縮規制アームを示す要部側面図              （ｂ）収縮規制アームを示す要部側面図              （ｃ）収縮規制アームを示す要部背面図
【図１６】昇降用油圧シリンダと収縮規制アームを示す要部背面図
【図１７】灌水ポンプとチェックバルブを備える移植機の要部側面図
【図１８】機体後部の操縦部や植付装置、苗供給装置等を示す要部斜視図
【図１９】第１畝端センサや搭乗ステップ等を示す移植機の要部斜視図
【図２０】走行車体の昇降及びローリング機構を示す平面図
【図２１】ローリング操作レバーを備える作業座席周辺の要部背面図
【図２２】ローリング操作レバーを備える作業座席周辺の要部右側面図
【図２３】自動状態に切り替えたローリング機構の構成を示す要部斜視図
【図２４】手動状態に切り替えたローリング機構の構成を示す要部斜視図
【図２５】ローリング機構の構成を示す要部正面図
【図２６】ローリング機構の構成を示す要部右側面図
【図２７】出し入れ可能な第２スロットルレバーを備える苗供給装置を示す要部側面図
【図２８】別構成例の出し入れ可能な第２スロットルレバーを備える苗供給装置を示す要部側面図
【図２９】苗供給装置の要部背面図
【図３０】苗供給装置の要部平面図
【図３１】円弧部での苗収容体の曲率とガイドレールの曲率の違いを示す要部拡大平面図
【図３２】（ａ）調節目印孔及び取付孔部を形成した落下位置プレートの底面図              （ｂ）取付突起を形成した取付プレートを備えるガイドレールの底面図
【図３３】（ａ）取付突起を形成した取付プレートの側面図              （ｂ）取付突起を形成した取付プレートの底面図
【図３４】走行伝動ケースの上部側を跨ぐ水タンクステーの構成を示す要部背面図
【図３５】走行伝動ケースの上部側を跨ぐ水タンクホルダの構成を示す要部左側面図
【図３６】走行伝動ケースの上部側を跨ぐ水タンクホルダの構成を示す要部平面図
【図３７】水タンクを積載していない状態の水タンクホルダを示す斜視図
【図３８】水タンクを積載した状態の水タンクホルダを示す斜視図
【図３９】ホッパスクレーパを、２条植えの移植機に装着した例を示す要部平面図
【図４０】ホッパスクレーパを、４条植えの移植機に装着した例を示す要部平面図
【図４１】ホッパスクレーパの平面図
【図４２】ホッパスクレーパの分解側面図
【図４３】苗植付装置とホッパスクレーパを示す要部側面図
【発明を実施するための形態】
【００３１】
以下、図面に基づき、本発明の好ましい実施の形態について説明する。
【００３２】
図１は、本発明の実施の形態の移植機の一例として苗を移植する移植機１０を示す左側面図であり、図２は右側面図、図３は背面図、図４は正面図であると共に、図５は平面図である。
【００３３】
なお、以下の説明では、操縦ハンドル４０４を配置した側を後とし、その反対側、すなわちエンジン４１を配置した側を前とする。そして、機体前側に向かって右手側を右とし、左手側を左とする。
【００３４】
本実施の形態の移植機１０は、図１から図５に示すとおり、機体を前進走行可能とする走行車体４０と、走行車体４０の後部に設けた歩行操縦用の操縦ハンドル４０４と、圃場に苗を植え付ける植付装置４２と、植付装置４２に苗を供給する苗供給装置４３を備えている。
【００３５】
走行車体４０は、機体前部にミッションケース３９を設け、該ミッションケース３９の前側に駆動装置であるエンジン４１を設ける。前記ミッションケース３９の左右両側の機体後側下部には、後輪４４の左右位置を変更するトレッド調節が可能な車軸を覆う車軸カバー１０１が各々連結され、該車軸カバー１０１の機体外側端部には、機体後側に設ける後輪４４に駆動力を伝動する走行伝動ケース３８を各々上下回動可能に装着する。
【００３６】
なお、左右の後輪４４は、走行伝動ケース３８と、後述する前後フレーム１０３の左右間に各々配置することで、機体の左右幅を抑える構成としている。但し、苗の植付作業を行う畝幅等の条件に対応させるべく、左右の後輪４４を走行伝動ケース３８の機体外側に装着できる構成としておくと、対応可能な作業条件を増やすことができる。
【００３７】
より正確には、左右の車軸カバー１０１が内部の車軸（図示省略）を支点として回転可能に装着され、これらの車軸カバー１０１に走行伝動ケース３８を各々装着し、後述する昇降用油圧シリンダ３００やローリングシリンダ３１０の伸縮により車軸カバー１０１が回転することで、走行伝動ケース３８が上下回動する構成である。
【００３８】
そして、図１から図５、及び図１８に示すとおり、前記ミッションケース３９から伝動されて植付装置４２及び苗供給装置４３に駆動力を分岐供給する伝動ケース２６に、少なくとも該伝動ケース２６の左右側面と背面を覆うベースプレート４００を設け、該ベースプレート４００の後部にフレームステー４０１をボルト等の固定部材を介して着脱可能に設ける。そして、該フレームステー４０１に、機体後側上方に向かって円弧を描く形状で突出するハンドルフレーム４０２を設け、該ハンドルフレーム４０２の後部には、車高の上下調節や走行及び植付作業の伝動の入切等を操作する操縦部ユニット４０３を設けると共に、苗の植付を行わない移動時等に作業者が機体を操作する際に把持する操縦ハンドル４０４を設ける。該操縦ハンドル４０４はハンドルフレーム４０２を中心として機体左右方向で且つ機体後方に向かって屈曲する形状であり、左右の後部側には、前記後輪４４への伝動を入切するサイドクラッチ操作レバー４０５を各々設けている。また、操縦ハンドル４７のうち、左右どちらか一側には、エンジン４１の出力を増減操作する第１スロットルレバー４０６を設ける。
【００３９】
そして、前記ハンドル４０４の左右間には、操縦パネル４７ａを設け、該操縦パネル４７ａに、昇降用油圧シリンダ３００を伸縮操作して走行車体４０の車高を調節する車高調節レバー１２３と、左右の走行伝動ケース３８及び伝動ケース２６への駆動力の伝動を入切する主クラッチレバー１２５と、エンジン４１の始動の可否を切り替えると共に停止操作を行う第１エンジンスイッチ４０７と、走行車体４０の走行伝動を移動速、植付作業速、走行中立及び後進のいずれかに切り替える主変速レバー１５０を設ける。
【００４０】
エンジン４１の始動を許可するときは、作業者は該第１エンジンスイッチ４０７を押し込んで回転させて入位置に操作する。これにより、エンジン４１の始動操作が行われると、エンジン４１が始動する。なお、エンジン４１の始動は、セルスタータを用いるものでも、リコイルスタータを用いるものでもよい。また、エンジン４１以外の駆動装置、例えば電動モータで作動するものであるときでも、第１エンジンスイッチ４０７が入位置にあるときに電動モータへの通電が行われて始動する構成とする。
【００４１】
エンジン４１を停止させるときは、作業者が前記第１エンジンスイッチ４０７を軽く押し込むと、内装されたトルクバネ（図示省略）の力で切位置に切り替わり、これによりエンジン４１が停止状態になる。
【００４２】
切操作時は第１エンジンスイッチ４０７を軽く押し込むだけでよいので、走行及び植付を即座に止めることができる。これにより、畝端に到達したときにすぐに走行と植付が停止するので、畝でない箇所での苗の植付動作が防止され、余分に消費される苗が減少する。また、次の植付作業を行う畝に機体を移動させる際、余分な移動が生じないので、燃料消費や作業時間が軽減される。
【００４３】
前記操縦ハンドル４７の機体前側で、且つ伝動ケース２６の上部には、後述する、作業者が投入する苗を左右の植付ホッパ２０ａ，２０ｂに搬送する苗供給装置４３が設けられている。該苗供給装置４３の後部と、ハンドルフレーム４０２の後側上部で且つ操縦パネル４７ａの前側に設ける補強連結ステー１５１に亘って、操縦ハンドル４７及び苗供給装置４３付近の強度を向上させると共に振動を低減させる、前後方向の補強フレーム１５２を設ける。
【００４４】
そして、該補強フレーム１５２の前後間に、側面視Ｌ字形状の回動支持プレート１５３を、背面視で機体左右他側（機体右側）に向けて突出する姿勢で装着する。該回動支持プレート１５３は、機体左右他側が開放されており、この開放側に、視認回動アーム１５４の基部を回動可能に装着する。なお、該視認回動アーム１５４は、機体左右一側（機体左側）にはハンドルフレーム４０２に接触するまで回動可能とし、機体左右他側には回動支持プレート１５３に接触する位置まで回動可能とする。言い換えれば、回動支持プレート１５３は、視認回動アーム１５４を機体左右他側方向に回動させたとき、苗供給装置４３と視認回動アーム１５４が略平行、乃至機体外側に向かう下り傾斜姿勢となる位置で、機体下部側に位置する回動規制部１５３ａにより回動を規制することになる。
【００４５】
なお、視認回動アーム１５４が設けられる部分の下方には、機体左右他側の植付ホッパ２０ｂを昇降させる左右他側の上下動機構２１が上下回動可能に配置されているが、回動規制部１５３ａに接触するまで機体左右他側に回動させた視認回動アーム１５４は、最大限上方回動した上下動機構２１よりも機体上方に位置する配置構成とする。
【００４６】
前記視認回動アーム１５４の端部側には、走行車体４０の進行方向上、即ち機体前側の景色が映り込ませ、後述する作業座席４６、及びフロアステップ１２２に、走行車体４０の進行方向に背を向けて搭乗する作業者が視認する、視認部材１５５を回動可能に設ける。より具体的には、該視認部材１５５は、機体後側にボール状の連結体（図示省略）を有し、このボール状の連結体を視認回動アーム１５４側の連結穴部（図示省略）にねじ込み、回転及び角度調節自在に構成されている。
【００４７】
前記視認部材１５５は、ミラー１５５ａとすると装着するだけで機体前側の景色を映すことができるので、装着によるコストの上昇が抑えられる。なお、苗の植付作業を行う圃場では、作業時間帯や作業場所によっては太陽光や周辺の照明の反射により見づらくなることが考えられるので、ミラー１５５の上側にシェード体（図示省略）等を装着可能とするとよい。
【００４８】
上記により、視認装置１５７が構成される。
【００４９】
上記構成では、視認回動アーム１５４を前後方向の回動軸を中心に、機体左右方向に円弧状に回動させ、視認部材１５５の左右位置及び上下高さを変更することができるので、作業者の作業姿勢、例えば、作業座席４６に座って作業をするかフロアステップ１２２に立って作業をするか、や、作業者の体格に合わせて、視認部材１５５に映る機体前方の景色を見やすくすることができる。これにより、作業者は苗の植付作業を終了する畝端への接近や、進路上の障害物の有無等を確実に発見できるので、畝以外の箇所で苗を無駄に植えてしまうことや、障害物との接触で走行車体４０が破損することが防止される。
【００５０】
また、作業者は進行方向に背を向け、機体後側に配置される苗供給装置４３に苗を投入する必要があるが、機体前側の様子を見るべく背後を向く必要がなくなるので、苗の供給が途切れ、植付ホッパ２０ａ，２０ｂが圃場に苗を植え付けない、所謂欠株が発生することが防止される。
【００５１】
これにより、作業者は欠株の発生箇所に苗を手作業で植える必要が無く、作業者の労力が軽減される。
【００５２】
そして、収納時等、機体左右一側に向けて視認回動アーム１５４を回動させると、視認回動アーム１５４は機体の左右一側端部よりも機体内側に位置し、且つ機体の左右幅内に収まる構成となるので、収納場所で視認装置１５７が引っ掛かり、破損することが防止される。
【００５３】
また、非使用時等に、機体左右他側の回動規制部１５３ａに向けて最大限視認回動アーム１５４を回動させても、視認回動アーム１５４は上下動機構２１と干渉しない上方位置に位置するので、視認回動アーム１５４が上下動機構２１との接触で破損することが防止される。
【００５４】
さらに、視認装置１５７は、基部側が補強フレーム１５２の前後間に設けられているので、機体の振動が視認装置１５７に伝わりにくく、視認部材１５５に映る景色が視認しやすくなる。
【００５５】
また、ハンドルフレーム４０２と苗供給装置４３を補強フレーム１５２で連結することにより、機体の強度の向上が図られる。
【００５６】
なお、視認回動アーム１５４の回動支持プレート１５３への取付はダブルナットとし、外れることや自重で下方回動することを防止しつつ、作業者の回動操作では軽い力で回動する取付方とすると、調節作業が容易で、且つ工具が無くても行える。
【００５７】
前記ミッションケース３９の機体前側で且つ左右両側には、正面断面視でコの字形状のバンパー支持フレーム１０８を機体前側に突出させて設ける。そして、該左右のバンパー支持フレーム１０８の前方には、機体前側に突出するバンパー１０９を設ける。
【００５８】
なお、図６から図８に示すとおり、バンパー１０９は、板体の機体前側と左右両側を下方に折り曲げたバンパープレート１０９ａと、該バンパープレート１０９ａの上面に着脱可能なフロントウエイト１０９ｂと、バンパープレート１０９ａから左右方向に延びるバンパーロッド１０９ｃで構成している。該フロントウエイト１０９ｂは、鉄等の比較的重量があり且つ硬度の高い素材の塊で構成し、バンパープレート１０９ａよりも機体前側に突出する形状とする。
【００５９】
これにより、重量と硬度を有する塊であるフロントウエイト１０９ｂが最も機体前方に突出するので、障害物に接触したときにバンパープレート１０９ａまで損傷が及ぶことを防止できる。
【００６０】
前記左右のバンパー支持フレーム１０８の機体前側で、且つ機体下部側には機体下側が開口部となる凹部（図示省略）を形成し、これらの凹部に、機体左右方向を長手方向とする前部梁フレーム１１０を差し込んで固定する。
【００６１】
該前部梁フレーム１１０を設けることにより、左右のバンパー支持フレーム１０８とミッションケース３９とで機体前側にも四角形にフレームが組み上げられるので、機体前側の強度が向上する。特に、バンパー１０９が障害物に接触した際、前部梁フレーム１１０に左右のバンパー支持フレーム１０８を差し込んで固定しているので、左右のバンパー支持フレーム１０８の後部側に破損や衝撃が伝播しにくくなる。
【００６２】
また、ミッションケース３９を機体に組み付ける際、左右のバンパー支持フレーム１０８の凹部を前部梁フレーム１１０に差し込んでから左右方向に移動させることにより、ミッションケース３９の前後位置を固定したうえで左右位置を調節できるので、ミッションケース３９の取付位置のずれにより組立作業が滞ることが防止される。
【００６３】
なお、前記ミッションケース３９の前側で且つ左右一側に前記エンジン４１の後部を積載し、エンジン４１の前部は、前部梁フレーム１１０の左右中央部付近に配置するエンジンマウントに積載する構成とするが、エンジン４１が配置される側のバンパー支持フレーム１０８とエンジン４１は、上下方向に間隔を空けて配置する構成とする。即ち、バンパー支持フレーム１０８は、エンジン４１を下方から受ける部材ではない。
【００６４】
上記構成により、バンパー１０９が障害物に接触したときの衝撃が、バンパー支持フレーム１０８からエンジン４１に伝播することを防止できるので、エンジン４１が破損することや、衝撃により作動不良を起こすことを防止できる。
【００６５】
また、バンパー支持フレーム１０８が衝撃で変形しても、エンジン４１の積載状態に影響を及ぼしにくい構成となり、バンパー１０９が破損してもエンジン４１の動力で作業や移動を行うことができる。
【００６６】
そして、前記バンパープレート１０９ａの左右両側には、バンパーロッド１０９ｃを装着する左右方向の凹部を有するステップ支持プレート１１１を各々装着する。該左右のステップ支持プレート１１１は、前記前部梁フレーム１１０の機体後側で且つ左右両側に各々設ける補強アーム１１２を介して支持する構成とする。
【００６７】
該左右のステップ支持プレート１１１の上面は平坦であり、走行車体４０の機体左右一側、即ち機体左側においては、作業者が機体前側から乗り降りする際に足を乗せる前側搭乗ステップ１１３の機体前側部分を装着する。一方、機体左右他側、即ち機体右側には、植付ホッパ２０ａ，２０ｂが植え付ける苗同士の前後間隔、所謂株間を設定する、株間主変速レバー８０１と株間副変速レバー８０２、及び主変速レバー１５０が植付速に操作されているときに、第１植付速または第２植付速を選択する植付変速レバー８０３を支持する、株間切替カバー１１４を形成する。
【００６８】
該前側搭乗ステップ１１３は、機体前側で且つ上下方向下側に位置する下部足載せ部１１３ａと、下部足載せ部１１３ａよりも機体後側で且つ上下方向上側に位置する上側足載せ部１１３ｂと、下部足載せ部１１３ａと上側足載せ部１１３ｂの上下間に位置し、機体外側方向に向かって捻れて傾斜する中間傾斜部１１３ｃで構成される。下部足載せ部１１３ａの表面には、滑り止め突起１１３ｄを複数形成するものとし、中間傾斜部１１３ｃは、乗り降りの際に作業者が足を心理的に乗せにくい傾斜角度で、且つ下部足載せ部１１３ａと上側足載せ部１１３ｂの間で移動するときに跨いで通過される前後長さとする。
【００６９】
一方、該株間切替カバー１１４は、機体前側で且つ上下方向下側に位置する下側台部１１４ａと、下側台部１１４ａよりも機体後側で且つ上下方向上側に位置する上側台部１１４ｂと、下側台部１１４ａと上側台部１１４ｂの上下間に位置し、機体外側方向に向かって捻れて傾斜すると共に、株間主変速レバー８０１と株間副変速レバー８０２、及び主変速レバー１５０が各々移動する移動溝を形成したレバー装着部１１４ｃで構成される。
【００７０】
なお、前記前側搭乗ステップ１１３と株間切替カバー１１４は左右対称な形状であり、機体左右一側に設けるものを株間切替カバー１１４とし、機体左右他側に設けるものを前側搭乗ステップ１１３としてもよい。
【００７１】
そして、前記上側足載せ部１１３ｂ及び上側台部１１４ｂの機体後側には、機体側方から作業者が乗り降りすると共に、作業時の足場となる側部ステップ１１８を各々設ける。該側部ステップ１１８は、枠内に縦横に板体を配置して複数の空間部を形成しており、作業者の靴底に付着した土を下方に落下させる構成とする。また、前記左右の側部ステップ１１８の左右間には、搭乗する作業者の足場となる中央ステップ１１９を着脱可能に設ける。
【００７２】
以上により、フロアステップ１２２が構成される。
【００７３】
前側搭乗ステップ１１３、株間切替カバー１１４、左右の側部ステップ１１８及び中央ステップ１１９の取付は、各々独立して行う、即ち、一つの取付部材（ボルト等）で共締めしないものとする。これにより、部分的なメンテナンス作業時に各ステップ構成体を取り外す際、別のステップ構成体を取り外す必要が無く、メンテナンス作業の能率が向上する。
【００７４】
前記前側搭乗ステップ１１３の前側下部には、前側搭乗ステップ１１３への乗り降りの際に作業者が足を乗せる、乗降補助機構１７０を装着する。該乗降補助機構１７０は、機体外側に位置する、側面視でＬ字形状であり、屈曲部分より機体下側に機体前方に突出する第１突出部１７１ａを有する外側支持アーム１７１と、機体内側に位置する、正面視でＬ字形状であり、屈曲部分より機体下側に機体外側に突出する第２突出部１７２ａを有する内側支持アーム１７２と、第１突出部１７１ａと第２突出部１７２ａに亘って設ける乗降補助ステップ１７３で構成する。
【００７５】
前記外側支持アーム１７１は、ステップ支持プレート１１１と共に、共締めボルト１７４…で共締めして走行車体４０に装着する。また、前記内側支持アーム１７２は、バンパープレート１０９ａと共に、共締めボルト１７４…で共締めして走行車体４０に装着する。
【００７６】
これにより、共締めボルト１７４…で複数の部材を締め込む構成となるので、走行車体４０の機体前側付近の強度の向上が図られ、作業者の乗り降りの際に係る荷重による耐久性の低下が軽減される。
【００７７】
また、乗降補助ステップ１７３を設けたことにより、畝の高さ等に合わせて走行車体４０の車高を高くしていても、作業者は乗降補助ステップ１７３に足を乗せ、前側搭乗ステップ１１３の下側足載せ部１１３ａに足を段階的に載せて乗り込むと共に、逆の動作により降りることができるので、乗り降りの際に足を高く上げる必要や、多少なりとも飛び降りる必要が無く、作業者の身体への負担が軽減される。
【００７８】
そして、乗降補助ステップ１７３を、第１突出部１７１ａと第２突出部１７２ａに亘って設けたことにより、乗降補助ステップ１７３の左右幅内に外側支持アーム１７１と内側支持アーム１７２が位置しないので、作業者の足が外側支持アーム１７１と内側支持アーム１７２に接触することが防止される。
【００７９】
一方、走行車体４０の車高を下降させたときや植付作業中は、前記乗降補助機構１７０は不要になるだけでなく、車高によっては畝面や畝の法面に接触して畝を崩し、苗の植付精度を低下させるおそれがある。
【００８０】
これを防止すべく、外側支持アーム１７１と内側支持アーム１７２の基部をダブルナット（図示省略）で装着し、共締めボルト１７４…を回動支点として外側支持アーム１７１と内側支持アーム１７２を回動可能に装着して、乗降補助機構１７０を上下回動可能に構成するとよい。
【００８１】
上記構成により、不要な時には乗降補助機構１７０を畝面から離間する上方に回動させることができるので、乗降補助機構１７０が畝を崩すことが防止され、苗の植付精度が維持される。
【００８２】
図１から図８に示すとおり、前記株間切替カバー１１４の下部には、自重により下方回動して畝面に接触し、走行車体４０が畝の端に到達して接地しなくなるとさらに下方回動し、圃場端に到達したことを作業者に知らせる報知装置１８１を作動させる、第１畝端センサ１８２を支持する、畝端センサステー１８２ａを設ける。該報知装置１８１は、走行車体４０の各部に装着するブザーやランプ、あるいは、作業者の情報端末（タブレット、スマートフォン等）に通知する通信装置とする。
【００８３】
該第１畝端センサ１８２は、センサアーム１８３を回動可能に設け、該センサアーム１８３の下部に畝面接地ローラ１８４を回転可能に装着し、センサアーム１８３を下方に付勢する接地付勢スプリング１８５を設けると共に、センサアーム１８３の基部には、所定角度以上になると入（あるいは切）になる第１畝端検知スイッチ１８６を設けて構成する。該接地付勢スプリング１８５は、長孔に沿って角度調節可能な検知調節プレート１８７に上端部側を装着し、畝高さに合わせて作動する角度を変更可能に構成する。
【００８４】
この第１畝端センサ１８２は、苗の植付作業走行の開始時、走行車体４０の車高調整により畝面に接地させる。回転自在な畝面接地ローラ１８４を接地させていることにより、畝面を崩しにくく、且つ微細な凹凸を均すことができ、苗の植付精度の向上が図られる。
【００８５】
そして、走行車体４０が前進を続けて畝の端部に到達し、畝面接地ローラ１８４が畝面に接触しなくなると、接地付勢スプリング１８５の付勢力と、センサアーム１８３と畝面接地ローラ１８４の自重により、センサアーム１８３が下方回動して、第１畝端検知スイッチ１８６が押されない状態となる。第１畝端検知スイッチ１８６が押されなくなると、報知装置１８１に通電されることにより、報知装置１８１が作動し、作業者に走行車体４０の機体前端付近が畝端に到達したことを報知する。
【００８６】
なお、第１畝端センサ１８２が畝端を検知した時点では、畝にはまだ数株分の植付スペースが残っているので、作業者は機体を即座に停止させるのではなく、残りの植付スペースに植え付けられる数の苗を苗供給装置４３に投入しつつ、停止操作を準備する。
【００８７】
これにより、作業者は背後を振り返ることなく畝端への接近を知ることができるので、苗を畝上に植え付け終えるタイミングで機体を停止させることができ、余分な走行による燃料の消費や、次の作業条への移動距離が長くなることが防止される。
【００８８】
また、畝端が近付いた際、苗供給装置４３に投入する苗の数を調整できるので、植付作業走行の停止操作が遅れて植付ホッパ２０ａ，２０ｂが植付動作を行っても、畝でない箇所に苗が放出されることが防止される。
【００８９】
なお、図４、図６及び図７に示すとおり、前記センサアーム１８３を左右一対のセンサアーム１８３ａ，１８３ａとし、畝面接地ローラ１８４を左右の畝面接地ローラ１８４ａ，１８４ａを各々回転可能に装着し、左右の第１畝端検知スイッチ１８６，１８６を各々設ける構成としてもよい。
【００９０】
これにより、左右のセンサアーム１８３，１８３のどちらか一方が下方回動して対応する第１畝端検知スイッチ１８６，１８６の一方が押されない状態になると、報知装置１８１が作動することにより、畝端が風雨により崩れて形状が乱れていても畝端が検知されやすく、作業者による植付作業走行停止操作がタイミングよく行える。
【００９１】
また、走行車体４０の機体前側の左右両側で、且つ後輪４４よりも機体前側には、前部梁フレーム１１０の下部側に設けられて機体左右方向に突出する横フレーム１６を介して、転動自在に支持した前輪４５を設ける。
【００９２】
そして、前記走行伝動ケース３８の前部の回動軸心位置には、ミッションケース３９から左右両外側方に延出させた車輪駆動軸の先端が入り込んで、ミッションケー・BR>X３９内の走行部系変速伝動部を経た走行用の動力が走行伝動ケース３８内の伝動機構に伝達している。そして、走行用の動力は走行伝動ケース３８内の伝動機構を介して、走行用伝動ケース３８の後輪車軸１２に伝動し、後輪４４が駆動回転する構成としている。
【００９３】
なお、ミッションケース３９内に設けた左右それぞれのサイドクラッチ（図示せず）により、左右の各後輪４４の駆動を断つことが出来る構成になっている。従って、機体を旋回させるときには、サイドクラッチにより旋回内側となる左右一方の後輪４４を非駆動状態にしてスムーズに旋回できる構成としている。
【００９４】
また、前記走行伝動ケース３８には、走行伝動ケース３８の前部側を回動支点として後輪４４を上下させる、上下回動する駆動手段が連結している。具体的には、図２０に示すとおり、走行伝動ケース３８のミッションケース３９への取付部には、上方に延びるアームが一体的に取り付けられており、アームがミッションケース３９に固定された昇降用油圧シリンダ３００のピストンロッド先端に取り付けた連結体３１２の左右両側部と連結している。左右一方側（右側）は、連結ロッド３１１で連結し、他方側（左側）は、機体の傾斜に対応して伸縮作動可能なローリング油圧シリンダ３１０で連結している。
【００９５】
昇降用油圧シリンダ３００が作動してそのピストンロッドが機体後方に突出すると、左右のアーム１３は後方に回動し、これに伴い走行伝動ケース３８が下方に回動して、機体が上昇する。反対に、昇降用油圧シリンダ３００のピストンロッドが機体前方に移動してシリンダ内に引っ込むと、左右のアーム１３は前方に回動し、これに伴い走行伝動ケース３８が上方に回動して、機体が下降する。
【００９６】
この昇降用油圧シリンダ３００は、畝面に接地して機体と畝面との上下間隔の変動に伴って動作する畝面センサ１４によって作動する。畝面センサ１４の動作は機体の位置を基準とした畝上面高さを検出する動作となり、その畝面センサ１４の検出動作に基づいて機体を畝上面高さに対応して設定高さになる構成で昇降用油圧シリンダ３００が作動する構成としている。
【００９７】
また、前記ローリング油圧シリンダ３１０が伸縮作動すると、ローリング油圧シリンダ３１０と連結された左側のアーム１３が回動して、左側の後輪４４のみを上下動させ、機体を左右に傾斜させる。ローリング油圧シリンダ３１０は、左右水平を基準として機体の左右傾斜を検出するセンサの検出結果に基づいて作動して、機体を圃場面に対して水平乃至略水平にする構成としている。
【００９８】
上記の昇降用油圧シリンダ３００は、前記畝面センサ１４による検知、または機体後部に設ける車高調節レバー１２３の操作によって伸縮し、車高を変化させるものである。しかしながら、長時間停車していると、機体の重量による負荷が昇降用油圧シリンダ３００に加わり、作動油が自然にリークすることで、昇降用油圧シリンダ３００が収縮して車高が低くなってしまうことがある。
【００９９】
特に、長期間機体が停車状態となる、倉庫等での保管時に車高が下がると、畝面センサ１４や植付ホッパ２０ａ，２０ｂの下端部が床面に接触し、変形してしまう恐れや、床面を傷つけてしまうおそれがある。また、食事等による長時間の休憩の後、車高を再度調節し直す作業が必要となることもあり、作業能率の低下や、調節ミスにより植付深さが不揃いになるおそれがある。
【０１００】
図１５及び図１６に示すとおり、昇降用油圧シリンダ３００は、固定シリンダケース３０１と、該固定シリンダケース３０１に内装されて摺動する、摺動ロッド３０２の端部を支持する油圧天秤３０３と、該摺動ロッド３０２を伸長側、即ち走行車体４０の車高を高くする方向に付勢するスプリング３０４で構成し、該スプリング３０４の一端部には、伸長を規制する円弧形状のスプリングキャップ３０５を設ける。
【０１０１】
そして、前記油圧天秤３０３の上部側には、回動操作により規制状態と非規制状態に切替可能な収縮規制アーム３０６を回動可能に設け、該収縮規制アーム３０６が規制状態側に回動すると、固定シリンダケース３０１と油圧天秤３０３の前後間に収縮規制アーム３０６の端部が接触し、摺動ロッド３０２が物理的に収縮方向に移動できない状態になる構成とする。
【０１０２】
前記収縮規制アーム３０６は、に示すとおり、油圧天秤３０３に基部側をトルクバネ３０７を介して装着し、端部側には、摺動ロッド３０２の外周を覆う形で接触して固定シリンダケース３０１と油圧天秤３０３の前後間に入り込む規制スペーサ３０８と、スプリング３０４の前方で固定シリンダケース３０１の外周面に噛み込む規制ホルダ３０９を設けて構成する。
【０１０３】
なお、該規制スペーサ３０８は、図１５（ｃ）に示すとおり、予備摺動ロッド３０２の外周に確実に接するべく、正面視でコの字形状とし、該規制ホルダ３０９は、固定シリンダケース３０１にかみ合わせるべく、円弧状の切り欠きを形成したものとする。また、規制スペーサ３０８及び規制ホルダ３０９の接触面には、昇降用油圧シリンダ３００に傷を付けることを防止すべく、ゴム等の軟質材をコーティングするとよい。
【０１０４】
前記トルクバネ３０７は、収縮規制アーム３０６を非規制状態側に付勢しており、非規制状態では前記規制スペーサ３０８と規制ホルダ３０９が昇降用油圧シリンダ３００の伸縮域から完全に退避する位置に収縮規制アーム３０６が回動する構成とする。
【０１０５】
前記収縮規制アーム３０６の規制状態と非規制状態の切替は、専用の手動操作レバーを設けて、走行車体４０のフロアステップ１２２上から行える構成としてもよいが、昇降用油圧シリンダ３００は走行車体４０の機体前後方向の中央付近に位置するので、手動操作レバーをフロアステップ１２２の上面から突出させる必要がある。フロアステップ１２２から手動操作レバーが突出していると、作業者の移動を妨げるおそれがあると共に、作業者の足が接触して規制状態と非規制状態の切替が意図せず行われてしまい、畝面センサ１４が圃場高さが低くなったことを検知しても昇降用油圧シリンダ３００が収縮できず、植付深さが浅くなるおそれがある。
【０１０６】
また、車高調節を行ったあと、走行車体４０上で手動操作レバーを操作する必要があるので、作業工数が増加してしまうことになる。
【０１０７】
これらの問題の発生を防止すべく、前記収縮規制アーム３０６の切替操作は、走行車体４０の操縦ハンドル４７の左右中央部の操縦パネル４７ａに設けられる、昇降用油圧シリンダ３００を伸縮操作して走行車体４０の車高を調節する、車高調節レバー１２３に連携ワイヤ１２４を設け、該車高調節レバー１２３の操作に連動して行われる構成とする。
【０１０８】
前記車高調節レバー１２３は、機体前側に車高を高くする「高」ポジション、機体後側に車高を低くする「低」ポジションを有すると共に、「低」ポジションから機体外側方向には、昇降用油圧シリンダ３００の伸縮を停止させて車高を維持する「固定」ポジションを有する。「固定」ポジションに車高調節レバー１２３を操作すると、連携ワイヤ１２４が収縮規制アーム３０６を規制状態側に回動させる構成とする。一方、車高調節レバー１２３を「固定」ポジションから移動させて連携ワイヤ１２４が緩むと、トルクバネ３０７の付勢力により収縮規制アーム３０６は非規制状態側に回動する。
【０１０９】
上記構成により、収縮規制アーム３０６が規制状態に操作されると、規制スペーサ３０８が固定シリンダケース３０１と油圧天秤３０３の前後間に入り込んで昇降用油圧シリンダ３００が収縮できない状態になるので、移植機の自重による車高の低下が防止される。
【０１１０】
これにより、車高を再調整する作業が不要となり、作業能率が向上すると共に、植付ホッパ２０ａ，２０ｂや畝面センサ１４が床面に押し付けられて変形することが防止される。
【０１１１】
また、規制ホルダ３０９が固定シリンダケース３０１に噛み込むことにより、収縮規制アーム３０６の接触位置がずれて昇降用油圧シリンダ３００が収縮可能な状態が維持されることを防止できる。
【０１１２】
また、走行車体４０の後部の車高調節レバー１２３の操作に連動して、収縮規制アーム３０６が規制状態と非規制状態に切り替わるので、収縮規制アーム３０６の操作部材を別途設ける必要が無く、部品数の削減が図られる。
【０１１３】
あるいは、フロアステップ１２２の上面に収縮規制アーム３０６の操作部材が突出することがなく、規制状態と非規制状態が意図せずに切り替わることが防止されるので、畝面の凹凸に合わせた植付深さで苗の植付が行える。
【０１１４】
また、連携ワイヤ１２４は、収縮規制アーム３０６を規制状態側にのみ切り替える構成であるので、連携ワイヤ１２４が断線する、あるいは過度に伸長して撓む等の破損が生じたときは、トルクバネ３０７の付勢力により収縮規制アーム３０６が非規制状態側に回動するので、修理の際に固定シリンダケース３０１と油圧天秤３０３の間に挟まれた収縮規制アーム３０６を回動させる作業が不要となり、修理作業に要する労力の軽減が図られる。
【０１１５】
なお、上記構成では、収縮規制アーム３０６は連携ワイヤ１２４により規制状態に回動し、トルクバネ３０７で非規制状態に回動する構成としているが、トルクバネ３０７で規制状態に回動し、連携ワイヤ１２４により非規制状態に回動する構成としてもよい。
【０１１６】
具体的には、車高調節レバー１２３が「高」ポジションまたは「低」ポジションにあるときは連携ワイヤ１２４が収縮規制アーム３０６を非規制状態側に回動させており、「固定」ポジションに操作すると連携ワイヤ１２４が緩んでトルクバネ３０７の付勢力により収縮規制アーム３０６が規制状態側に回動する構成とする。
【０１１７】
上記構成では、車高調節レバー１２３の「固定」ポジションへの操作により連携ワイヤ１２４が緩むと、トルクバネ３０７の付勢力によって収縮規制アーム３０６がすぐに規制状態側に回動するので、車高調節レバー１２３の操作による昇降用油圧シリンダ３００の収縮量をより小さく抑えられるので、車高がより確実に維持される。
【０１１８】
図２０に示す前記ローリング油圧シリンダ３１０は、走行車体４０が機体左右方向に傾斜した際に伸縮させて姿勢を圃場面に対して水平乃至略水平にすることで、左右の植付ホッパ２０ａ，２０ｂが植え付ける苗が傾斜姿勢になることを防止するものである。しかしながら、圃場によっては、走行車体４０が最初から傾斜姿勢となる傾斜地に畝が形成されていることもあり、植付走行の開始前からローリング油圧シリンダ３１０を伸縮させ、走行車体４０の左右傾斜姿勢を調節する必要があることもある。
【０１１９】
上記の姿勢変更を、植付走行を開始してから、前記センサが検知する左右傾斜に合わせてローリング油圧シリンダ３１０を作動させて行うと、機体の傾斜姿勢が変化するまでに植え付けられる苗（１〜２株）が傾斜姿勢で植え付けられることになる。苗の傾斜は、僅かであれば生育により問題の無い姿勢になるが、大きく傾斜していると、自重や風等により倒伏し、枯れることになる。あるいは、傾斜姿勢で成長することにより、作物の茎葉部が圃場面や他の作物に接触し、歪に成長する問題が生じる。
【０１２０】
従って、図１、図２、図５及び図２０から図２６に示すとおり、ローリング油圧シリンダ３１０を任意の長さに伸縮操作させて、左右一方の走行伝動ケース３８を任意の角度に上下回動させることにより、走行車体４０の左右傾斜を、作業者の任意の角度、即ち植付作業を行う圃場の傾斜に合わせる、ローリング操作レバー３１３を設けている。
【０１２１】
図２１から図２６に示すとおり、該ローリング操作レバー３１３は、左右方向の操作量により、油圧バルブ３１４のバルブピン３１５を任意の開度に操作し、ローリング油圧シリンダ３１０を伸縮させるものである。ローリング操作レバー３１３の操作位置を変更しなければ、バルブピン３１５の開度は保持されるので、走行車体４０の左右傾斜角度を保持することが可能になり、作業場所に合わせて適切な姿勢で植付作業を開始することが可能になる。作業途中で圃場の傾斜が変化するときは、作業者がローリング操作レバー３１３を再度操作し、バルブピン３１５の開度を変更してローリング油圧シリンダ３１０を伸縮させ、走行車体４０の左右傾斜姿勢を圃場面に対して水平乃至略水平となるまで回動させることで、左右の植付ホッパ２０ａ，２０ｂによる苗の植付姿勢が傾斜姿勢になることが防止される。
【０１２２】
一方、比較的平坦であり、且つ左右傾斜が変化する頻度の高い圃場では、作業者がローリング操作レバー３１３を都度操作する必要があるが、作業座席４６に搭乗する作業者は走行車体４０の進行方向に背を向けており、さらに苗供給装置４３に苗を投入する作業を行うので、ローリング操作レバー３１３を手動操作して走行車体４０の姿勢を圃場の傾斜に合わせることは困難である。
【０１２３】
このとき、図２２及び図２３に示すローリング操作レバー３１３を作業座席４６に近付く方向に操作すると、前記センサが検知する左右傾斜に合わせて傾斜感知アーム３１６が回動し、該傾斜感知アーム３１６により油圧バルブ３１４のバルブピン３１５の開度が自動的に変更され、ローリング油圧シリンダ３１０が伸縮して走行車体４０の左右傾斜姿勢が変更される構成とする。
【０１２４】
ローリング操作レバー３１３は、上記の自動的なローリングが行われる自動状態では作業座席４６の下方、乃至下方近傍に位置するが、言い換えれば、手動操作によりローリングを操作する手動状態では、図２２及び図２４に示すとおり、ローリング操作レバー３１３のうち、少なくともローリング操作グリップ３１３ａが装着される端部付近は、作業座席４６に上方を覆われない位置、言い換えれば、作業座席４６の後端部よりも機体後側に位置するものとする。
【０１２５】
これにより、手動操作を行うときにはローリング操作レバー３１３を機体後側に引っ張り出しておくと、作業座席４６に搭乗する作業者はローリング操作グリップ３１３ａを座ったまま操作しやすくなるので、圃場の左右傾斜が変化する位置で操作することにより、走行車体４０の左右傾斜角度を調節し、苗の植付姿勢が乱れることを防止できる。
【０１２６】
また、自動状態にするときにはローリング操作レバー３１３が作業座席４６の下方に位置することにより、作業座席４６に搭乗する作業者の足が接触しにくくなるので、作業者の足との接触によりローリング操作レバー３１３が手動状態に切り替わり、自動ローリングが行われなくなることや、ローリング操作レバー３１３が左右方向に回動して意図しないローリング操作が行われることを防止できるので、苗の植付姿勢が乱れることを防止できる。
【０１２７】
なお、上記の機体の左右傾斜を検知するセンサの一例として、バルブピン３１５に共周り可能に装着され、走行車体４０の左右傾斜により回動することでバルブピン３１５の開度を変化させる振り子式センサとすることも考えられる。
【０１２８】
本件では、図１から図５、及び図１８から図２０に示すとおり、左右の鎮圧輪３７，３７を構成する鎮圧アーム３７０，３７０の回動量の差により、バルブピン３１５が左右方向に回動させられ、これによる開度の変化によりローリング油圧シリンダ３１０が伸縮する、鎮圧輪３７，３７を用いた左右のローリングセンサ３８０Ｌ，３８０Ｒを搭載するものとし、ローリング操作レバー３１３を自動状態に切り替えると、自動的に作動するものとする。言い換えれば、ローリング操作レバー３１３を手動状態に切り替えると、左右のローリングセンサ３８０Ｌ，３８０Ｒの検知にかかわらず、走行車体４０の左右傾斜角度はローリング操作レバー３１３の操作に対応する角度が保持されるものとなる。
【０１２９】
上記の左右のローリングセンサ３８０Ｌ，３８０Ｒは、各々の鎮圧アーム３７０，３７０の回動量により左右のローリングケーブル３２２Ｌ，３２２Ｒを引っ張り、あるいは緩め、傾斜感知アーム３１６を左右方向に回動させるものであり、左右の鎮圧アーム３７０，３７０の回動量が同じであるときは同じ牽引力が傾斜感知アーム３１６の上下にかかるので、傾斜感知アーム３１６は回動せず、油圧バルブ３１４は動作せず、ローリング油圧シリンダ３１０の伸縮は行われない。
【０１３０】
一方、左右の鎮圧アーム３７０，３７０の回動量に差が生じると、左右のローリングケーブル３２２Ｌ，３２２Ｒによる牽引力の強い側に傾斜感知アーム３１６の上側か下側が回動することにより、油圧バルブ３１４のバルブピン３１５が回動し、開度に合わせてローリング油圧シリンダ３１０が伸縮し、左右一側の走行伝動ケース３８が上下回動して、走行車体４０の左右傾斜姿勢が調節される。このとき、回動量の差が大きい側ほど牽引力が強くなるので、バルブピン３１５の回動量も大きくなる。一方、回動量の差が小さいと、小さい側が傾斜感知アーム３１６を反対側に引っ張るので、バルブピン３１５の開度は小さくなる。
【０１３１】
一つのローリング操作レバー３１３により、自動状態と手動状態を切替可能とする構成は、次のとおりである。
【０１３２】
前記油圧バルブ３１４は、ミッションケース３９の左右他側で且つ上部側に配置し、走行車体４０の左右中央部よりも機体左右他側に偏倚して配置する。そして、図２３から図２６に示すとおり、ミッションケース３９の側部及び後側を覆う側部フードカバー３１７に切替ステー３１８を設け、該切替ステー３１８の左右他側で且つ油圧バルブ３１４の前側位置に、前記傾斜感知アーム３１６の回動支点となる回動ピン３１９を機体前側に突出させた、回動支持プレート３２０を設ける。また、切替ステー３１８の左右一側には、ケーブルステー３２１を機体下方に突出させると共に、正面視で機体左右一側から左右他側に向かう傾斜姿勢で装着する。
【０１３３】
そして、前記傾斜感知アーム３１６のうち、回動ピン３１９よりも機体上部側には、機体左右他側（機体後部から見て右側）のローリングセンサ３８０Ｒの検知角度に合わせて傾斜感知アーム３１６を、正面視で時計回り方向に回動させる右側ローリングケーブル３２２Ｒの前側端部を連結する上側連結ピン３１６ａを設ける。該右側ローリングケーブル３２２Ｒの後側は、ケーブルステー３２１の上側に設ける右側ケーブルアウタ３２３Ｒを介して機体後側に向けて配策され、後側端部が鎮圧アーム３７０に設けられるローリングケーブルステー３８１に、機体下側から上側に向かう姿勢で連結される。
【０１３４】
なお、右側ローリングケーブル３２２Ｒは、傾斜感知アーム３１６を機体左右一側方向に引っ張って時計回り方向に回動させる姿勢で装着される。
【０１３５】
また、回動支持プレート３２０の機体後側には、上部側がバルブピン３１５に差し込まれた自動切替プレート３２４が設けられ、該自動切替プレート３２４の下部には、傾斜感知アーム３１６の下部側に形成される逆Ｕ字形状の切欠部３１６ｂに入り込む下側連結ピン３２５が機体前側に向けて装着されている。
【０１３６】
さらに、該下側連結ピン３２５には、傾斜感知アーム３１６の機体後側であり、且つ自動切替プレート３２４の機体前側になる位置に、機体左右一側（機体後部から見て左側）のローリングセンサ３８０Ｌの検知角度に合わせて傾斜感知アーム３１６を、正面視で反時計回り方向に回動させる左側ローリングケーブル３２２Ｌの前側端部を連結する。該左側ローリングケーブル３２２Ｌの後側は、ケーブルステー３２１の下側に設ける左側ケーブルアウタ３２３Ｌを介して機体後側に向けて配策され、後側端部が鎮圧アーム３７０に設けられるローリングケーブルステー３８１に、機体下側から上側に向かう姿勢で連結される。
【０１３７】
なお、左側ローリングケーブル３２２Ｌは、傾斜感知アーム３１６を機体左右一側方向に引っ張って反時計回り方向に回動させる姿勢で装着される。
【０１３８】
上記自動切替プレート３２４の上端部は、バルブピン３１５との連結部分よりも機体左右他側に偏倚する位置にあり、Ｕ字形状の自動切替溝３２４ａが形成されている。この自動切替溝３２４ａはローリング操作レバー３１３の前端部が入り込むことが可能な形状、具体的にはローリング操作レバー３１３を構成する丸パイプと略同径であり、自動切替溝３２４ａにローリング操作レバー３１３の前端部が入り込んだ状態が、自動状態である。
【０１３９】
一方、自動切替プレート３２４の機体後側には、上部側がバルブピン３１５に差し込まれた手動切替プレート３２６が設けられる。該手動切替プレート３２６の上端部は、バルブピン３１５との連結部分よりも機体左右他側に偏倚する位置にあり、逆Ｊ形状（フック形状）の手動切替溝３２６ａが形成されている。該手動切替溝３２６ａは、自動切替溝３２４ａから機体上方に離間する位置に形成されるものとする。該手動切替溝３２６ａはローリング操作レバー３１３の前端部が進入可能な形状であり、ローリング操作レバー３１３を手動状態に切替操作して手動切替溝３２６ａを上方に押し上げることで、ローリング操作レバー３１３の手動操作に合わせてバルブピン３１５の開度が変化する構成になる。
【０１４０】
自動状態と手動状態の切替操作は、上記のとおり、ローリング操作レバー３１３の前端部を自動切替プレート３２４の自動切替溝３２４ａ、または手動切替プレート３２６の手動切替溝３２６ａのどちらかに差し込むことで、自動切替プレート３２４または手動切替プレート３２６と共にバルブピン３１５を回動可能にするものである。
【０１４１】
例えば、自動状態に切替操作したときは、ローリング操作レバー３１３を左右方向に操作しても手動切替プレート３２６に接触しないので、手動操作は受け付けられない。仮にローリング操作レバー３１３の前端部が手動切替プレート３２６に接触しても、手動切替プレート３２６はバルブピン３１５に噛み合っていないので、バルブピン３１５と共に回動することがなく、ローリング油圧シリンダ３１０を伸縮させることはない。
【０１４２】
また、手動状態に切替操作したときは、左右のローリングケーブル３２２Ｌ，３２２Ｒによって傾斜感知アーム３１６が左右回動しても、自動切替プレート３２４はバルブピン３１５に噛み合っていないので、自動切替プレート３２４だけが回動することになり、ローリング油圧シリンダ３１０を伸縮させることはない。
【０１４３】
なお、前記自動切替溝３２４ａの底部付近は、ローリング操作レバー３１３を自動状態に切替操作した際にローリング操作レバー３１３の前端部を受け、ローリング操作レバー３１３の前端部が手動切替プレート３２６側に接触しない上下高さに設定するものとする。これにより、手動切替プレート３２６が自動切替プレート３２４の回動抵抗となり、バルブピン３１５の開度が実際の左右傾斜に対応しないものとなり、走行車体４０の左右傾斜角度が圃場の傾斜角度に対応せず、苗の植付姿勢が左右傾斜姿勢になることが防止される。
【０１４４】
前記手動切替プレート３２６の下部は、機体後部側及び上下部が開放状態のコの字形状の受け部３２７が形成されており、該受け部３２７にはスプリング受けプレート３２８が設けられている。そして、該スプリング受けプレート３２８と、油圧バルブ３１４の機体左右他側の下部側の上下間に、手動切替プレート３２６を中立位置に付勢する、中立スプリング３２９を装着する。該中立スプリング３２９は、手動状態のローリング操作レバー３１３を操作するときには、手動切替プレート３２６の回動に伴って伸長するが、ローリング操作レバー３１３が操作されなくなると、収縮して手動切替プレート３２６及びローリング操作レバー３１３を中立位置に戻す方向に回動させる。
【０１４５】
これにより、左右傾斜姿勢の調整後にローリング操作レバー３１３を中立位置に戻す操作が不要になるので、中立位置に手動で戻す操作時に誤って反対方向に操作が行われてしまい、走行車体４０の左右傾斜角度の調節をやり直す必要が無くなり、作業能率が向上する。
【０１４６】
なお、ローリング操作レバー３１３を操作してからローリング油圧シリンダ３１０が伸縮し、左右一側の走行伝動ケース３８が回動して走行車体４０が任意の左右傾斜姿勢になるまで、僅かなタイムラグが生じるので、作業者は任意の角度に切り替わるまでローリング操作レバー３１３を操作する必要がある。
【０１４７】
このとき、ローリング操作レバー３１３を離すと中立位置に自動的に戻ることにより、微細な傾斜角度の調節が行いやすく、苗の植付精度の向上が図られる。
【０１４８】
前記ローリング操作レバー３１３は、手動状態では左右方向に自由に操作できると共に、作業者が手を離すと中立に戻る構成であるので、自動状態では前端部が抑えられているものの、左右方向に僅かながら動く余地がある。この動作により、異音が発生することを防止すべく、ローリング操作レバー３１３の機体左右他側の側方には、自動状態に切替操作したローリング操作レバー３１３を受け止める係止プレート３３０を設けている。該係止プレート３３０は、機体後側にローリング操作レバー３１３と接触する接触部を有し、機体前部側は、自動切替プレート３２４と手動切替プレート３２６の機体左右他側の側方を覆い、且つ傾斜感知アーム３１６よりも機体後側で機体左右一側に屈曲させ、バルブピン３１５に差し込んで装着するものとする。
【０１４９】
上記構成では、一つのローリング操作レバー３１３で自動状態と手動状態の切替操作、及び手動状態での左右傾斜操作を行うことができるので、部品数を抑えることができると共に、構成の簡潔化が図られる。これにより、重量やコストの軽減が図られる。
【０１５０】
また、右側のローリングケーブル３２２Ｒが傾斜感知アーム３１６の上部を機体左右方向に回動させると共に、左側のローリングケーブル３２２Ｌが傾斜感知アーム３１６の下部を機体左右方向に回動させることにより、左右のローリングセンサ３８０Ｌ，３８０Ｒが検知する左右の回動量の差、即ち圃場の左右傾斜度合いに基づき傾斜感知アーム３１６を回動させ、バルブピン３１５を適切な開度としてローリング油圧シリンダ３１０を伸縮させることができる。従って、走行車体４０を圃場面に水平乃至略水平な姿勢とすることができ、苗の植付し背が乱れることが防止される。
【０１５１】
また、傾斜感知アーム３１６の上下中央部を回動ピン３１９に差し込み、傾斜感知アーム３１６の前側上部に上側連結ピン３１６ａを介して右側のローリングケーブル３２２Ｒを連結すると共に、自動切替プレート３２４に設ける下側連結ピン３２５を介して傾斜感知アーム３１６の後側下部に右側のローリングケーブル３２２Ｒを連結することにより、左右のローリングケーブル３２２Ｌ，３２２Ｒの牽引力が傾斜感知アーム３１６に各々均等にかかりやすくなるので、走行車体４０が左右方向のどちらに傾斜しても、適切な左右傾斜角度に合わせることができる。
【０１５２】
また、左右のローリングケーブル３２２Ｌ，３２２Ｒが、ケーブルステー３２１に設ける左右のケーブルアウタ３２３Ｌ，３２３Ｒまでは機体左右方向に向けて配策される構成としたことにより、ミッションケース３９やエンジン４１の上方空間部を活用して左右のローリングケーブル３２２Ｌ，３２２Ｒを配策することができる。これにより、左右のローリングケーブル３２２Ｌ，３２２Ｒを交換するとき、あるいは張力を調節する等のメンテナンスの際、作業者の手や工具の動作を妨げるものが少ないので、メンテナンス作業の能率が向上する。
【０１５３】
また、正面視において、ケーブルステー３２１を機体左右一側から左右他側に向かう下方傾斜姿勢で配置したことにより、左右のローリングケーブル３２２Ｌ，３２２Ｒが下方に屈曲し始める位置が機体左右他側寄りになるので、左右のケーブルアウタ３２３Ｌ，３２３Ｒの機体左右一側端部から出る左右のローリングケーブル３２２Ｌ，３２２Ｒを、側部フードカバー３１７の内周等に接触しない位置で機体後側に向けて屈曲させることができ、配策を容易に行うことができる。
【０１５４】
また、油圧バルブ３１４のバルブピン３１５を機体左右方向中央よりも機体左右他側に偏倚させたことにより、左右の側部フードカバー３１７同士の機体後側の接触、あるいは接近する位置を避けてローリング操作レバー３１３を配置できるので、側部フードカバー３１７にローリング操作レバー３１３の操作領域を回避する切欠等を形成する必要が無くなる。
【０１５５】
なお、本件の構成では、ローリング操作レバー３１３は、機体左右他側の側部フードカバー３１７の下端部よりも機体下側から、機体後側に向かって突出する構成とする。
【０１５６】
また、自動切替プレート３２４の自動切替溝３２４ａ、または手動切替プレート３２６の手動切替溝３２６ａのどちらかにローリング操作レバー３１３を差し込ませる操作により自動状態と手動状態が切り替わる構成としたことにより、自動状態で作業中にローリング操作レバー３１３の手動操作が受け付けられてローリング油圧シリンダ３１０が伸縮したり、手動状態で作業中に左右のローリングセンサ３８０Ｌ，３８０Ｒの検知する傾斜角度の差が生じて自動的にローリング油圧シリンダ３１０が伸縮したりすることが防止され、苗の植付姿勢が乱れることが防止される。
【０１５７】
また、自動切替溝３２４ａと手動切替溝３２６ａが上下方向に離間する位置に形成されているので、ローリング操作レバー３１３の誤操作により意図しない状態に切り替えられることが防止される。
【０１５８】
また、自動状態では係止プレート３３０でローリング操作レバー３１３を受けることにより、ローリング操作レバー３１３が動いて異音を発生されることを防止できるので、作業者が異音により不快感を覚えることが防止される。
【０１５９】
また、係止プレート３３０をバルブピン３１５に差し込んで取付部としたことにより、余分な取付位置が不要となるので、部品数の削減が図られる。これにより、機体の軽量化やコストの低減が図られる。
【０１６０】
また、左右のローリングケーブル３２２Ｌ，３２２Ｒの後側を、各々ローリングケーブルステー３８１，３８１に機体下側から上側に向かう姿勢で装着したことにより、空間部の多い左右のローリングセンサ３８０，３８０、即ち左右の鎮圧輪３７，３７の後部及び上部から作業者が手を入れやすくなるので、左右のローリングケーブル３２２Ｌ，３２２Ｒの交換や張力の調整時に作業者の手や工具の動きが妨げられにくく、メンテナンス作業の能率が向上する。
【０１６１】
図１、図２及び図５に示すとおり、前記横フレーム１６は、前部梁フレーム１１０に前後方向の軸中心にローリング回動可能に装着されており、該横フレーム１６の左右両側部には、上下に長い縦フレーム１７を装着する。そして、左右前輪４５は、縦フレーム１７の下端部側方に固着した前輪車軸１８に回転自在に取り付けられている。従って、左右前輪４５は、機体の左右中央の前後方向の軸心回りにローリング動自在となっている。また、横フレーム１６の左右両側部を基準として、縦フレーム１７が上下調節可能に設けられており、前輪４５の高さ調節をすることが出来る構成としている。
【０１６２】
前記操縦ハンドル４７は、機体後部に設けられており、後輪４４の後輪車軸１２より機体後側に位置している。具体的には、ミッションケース３９に前端部を固定した機体フレーム１９の後端部に取り付けられている。
【０１６３】
機体フレーム１９は、機体の左右中央で後方に延び、また、前後中間部から斜め後上方に延びている。
【０１６４】
操縦ハンドル４７は、機体フレーム１９の後端部から左右に後方に延びてその各後端部を操縦ハンドル４７のグリップ部としている。
【０１６５】
なお、図２では、グリップ部を左右に分かれた構成としているが、操縦ハンドル４７の左右の後端部を互いに左右に連結してその連結部分をグリップ部としても良い。
【０１６６】
植付装置４２は、先端が下方に向かう嘴状の複数の植付具と、植付具の下端部が圃場面より上方となる位置と圃場面より下方となる位置とに植付具を上下動させる上下動機構２１と、嘴状の植付具の下端部が閉じて上方から苗を受け入れて内側に苗を収容可能する閉状態と植付具の下端部が左右に開いて内側に収容した苗を下方に放出可能とする開状態とに植付具を開閉する開閉機構とを備える。
【０１６７】
図１から図５に示すとおり、本実施の形態の植付装置４２は、第１植付ホッパ２０ａと第２植付ホッパ２０ｂを左右に並べて配備した、二条植の構成としている。これらの第１植付ホッパ２０ａ及び第２植付ホッパ２０ｂは、ミッションケース３９から伝動される伝動ケース２６の左右両側部に設けられた上下動機構２１に各々装着されている。
【０１６８】
そして、図９から図１４に示すとおり、上下動機構２１は、上下一対のリンクアーム２１ａ，２１ｂで構成されており、該上下のリンクアーム２１ａ，２１ｂは、前端部側を伝動ケース２６に上下回動可能に各々装着すると共に、後端部側を左右のリンクホルダ２１０，２１０の左右間に上下回動可能に各々装着する。上側リンクアーム２１ａの前端部は、伝動ケース２６に回転可能に装着する非円形カム２１１の回転軸から外周縁部側に離間する位置に設け、上下動機構２１により上下動される植付ホッパ２０ａ，２０ｂを前から後に揺動させる構成とする。
【０１６９】
なお、伝動ケース２６は、機体フレーム１９に下部を固定した取付部材の上部に固着されている。また、植付ホッパ２０ａ，２０ｂ及び上下動機構２１の後端部側は、側面視で左右の後輪４４，４４の後端部よりも機体後側に位置しており、各々の機体外側方は他の部材の無い空間部となっている。
【０１７０】
特に、上側リンクアーム２１ａの前端部を非円形カム２１１に装着する位置は、植付ホッパ２０ａ，２０ｂの静軌跡において、苗を受け取ってから下死点に向かうまでの間に植付ホッパ２０ａ，２０ｂを後傾姿勢から圃場面に対して略垂直な姿勢に変化すると共に、下死点から上昇し始めると垂直な姿勢から前傾姿勢に変化する位置とする。
【０１７１】
これにより、植付ホッパ２０ａ，２０ｂの動軌跡において、苗を植え付けるべく土中に進入する時間、及び距離を短くできるので、植付ホッパ２０ａ，２０ｂが圃場に形成する植付孔の大きさを小さく抑えられるので、苗が倒れて植付姿勢が乱れることが防止される。
【０１７２】
また、植付ホッパ２０ａ，２０ｂが上死点付近で大きく前傾した姿勢になるので、作業者が投入する苗を所定位置まで搬送して落下供給する苗供給装置４３の落下供給位置に植付ホッパ２０ａ，２０ｂの上端部を近付けることができるので、苗が植付ホッパ２０ａ，２０ｂ内に供給されず、欠株が発生することが防止される。
【０１７３】
そして、苗が落下供給されるときの植付ホッパ２０ａ，２０ｂが傾斜姿勢であることにより、植付ホッパ２０ａ，２０ｂ内に入り込んだ苗を上部側から下部側に向かって滑らせて移動させることができるので、植付ホッパ２０ａ，２０ｂ内に苗が留まり、植付ホッパ２０ａ，２０ｂが土中に入り込んでも苗が植え付けられず、欠株が発生することが防止される。
【０１７４】
なお、前記非円形カム２１１と上側リンクアーム２１ａの間には、複数の円弧上の調節長孔２１２ａ…を形成した調節プレート２１２を配置し、調節長孔２１２ａ…にボルト等の固定部材を差し込む位置を変更することで、作業者が意図する植付ホッパ２０ａ，２０ｂの前後傾斜角度に調節可能な構成とする。
【０１７５】
これにより、苗の長さや植付深さ等の作業条件に合わせて植付ホッパ２０ａ，２０ｂの前後傾斜角度を適切に調節できるので、苗が生育に適した姿勢や植付深さで植え付けられ、苗の生育が良好になる。
【０１７６】
前記上下動機構２１の昇降駆動力は、前記非円形カム２１１の回転軸よりも機体後側に設ける昇降駆動軸２１３から伝動される。該昇降駆動軸２１３には、不等円形状の昇降カム２１４を装着し、該昇降カム２１４と上側リンクアーム２１ａの左右間に、上側リンクアーム２１ａを上下回動させる昇降クランク２１５を設ける。なお、下側リンクアーム２１ｂは、上側リンクアーム２１ａの上下回動に連動して上下回動するものであり、上下動機構２１を平行リンクとするものである。
【０１７７】
前記昇降クランク２１５は、一端を昇降カム２１４から機体外側に向かう回動軸に装着し、他端を上側リンクアーム２１ａの機体内側に設ける連結プレート２１６に装着し、植付ホッパ２０ａ，２０ｂの軌跡を苗の植付、及び苗供給装置４３からの苗の受け取りに適したものとする。
【０１７８】
なお、連結プレート２１６は上側リンクアーム２１ａから機体下方に向かって突出させ、下端部を下側リンクアーム２１ｂの上端部乃至上端部よりも僅かに上方に位置させて配置し、連結プレート２１６の下端部付近に昇降クランク２１５の他端部を装着する。
【０１７９】
上記構成により、昇降クランク２１５を機体下方寄りに配置できるので、重心が機体下部寄りとなることで、機体が部材の重量等により前後に傾斜しにくくなり、苗の植付深さや植付姿勢が安定する。
【０１８０】
また、昇降クランク２１５の他端部を連結プレート２１６に装着することにより、上側リンクアーム２１ａが昇降クランク２１５から直接負荷を受けない構成となるので、上側リンクアーム２１ａの耐久性の向上が図られる。
【０１８１】
上記のとおり、昇降動作により掛かる負荷が小さいので、上下のリンクアーム２１ａ，２１ｂは、内部が中空の角パイプで構成するとよい。上下のリンクアーム２１ａ，２１ｂが軽量であると、昇降クランク２１５や昇降カム２１４を通じて伝動ケース２６に伝わる負荷が小さくなるので、伝動ケース２６の耐久性も向上する。
【０１８２】
また、重量によって上昇速度が遅くなり過ぎることや、下降速度が速くなり過ぎることがなく、植付ホッパ２０ａ，２０ｂの昇降軌跡が安定し、苗の植付姿勢や植付深さが安定し、生育が良好になる。
【０１８３】
さらに、伝動ケース２６と上下動機構２１の左右間に昇降カム２１４、昇降クランク２１５及び連結プレート２１６を配置したことにより、上下のリンクアーム２１ａ，２１ｂが上下回動時に干渉しない構成となるので、上下のリンクアーム２１ａ，２１ｂを両方とも直線状にでき、構成の簡素化や強度の維持が可能になる。
【０１８４】
なお、植付ホッパ２０ａ，２０ｂの昇降及び前後傾動を苗の植付により適したものとすべく、上側リンクアーム２１ａと下側リンクアーム２１ｂの前後長さは異なるものとする。本件では、上側リンクアーム２１ａが下側リンクアーム２１ｂよりも短く構成している。
【０１８５】
上下のリンクアーム２１ａ，２１ｂの後端部は、上記のとおり左右のリンクホルダ２１０，２１０の左右間に、上下間隔を空けて装着するが、このとき、上側リンクアーム２１ａの装着位置を下側リンクアーム２１ｂの装着位置よりも機体前側に位置させる。
【０１８６】
これにより、植付
ホッパ２０ａ，２０ｂが上死点付近に上昇したときは、上下のリンクアーム２１ａ，２１ｂの後端部側の支点間距離が長くなり、植付ホッパ２０ａ，２０ｂの前後揺動量を小さく抑えられるので、苗供給装置４３の落下供給位置付近で植付ホッパ２０ａ，２０ｂ上側の前後位置量が変化しにくく、苗を受け取り損なうことが減少する。
【０１８７】
また、植付ホッパ２０ａ，２０ｂが下死点付近に上昇したときは、上下のリンクアーム２１ａ，２１ｂの後端部側の支点間距離が短くなり、植付ホッパ２０ａ，２０ｂの前後揺動量が大きくなるので、植付ホッパ２０ａ，２０ｂを後傾姿勢から前傾姿勢に変更させることができ、植付ホッパ２０ａ，２０ｂが苗に接触して倒したり傷付けたりすることが防止される。
【０１８８】
前記下側リンクアーム２１ｂの前端部には、植付ホッパ２０ａ，２０ｂを昇降位置に合わせて開閉させる開閉機構を作動させる開閉ワイヤ２２０を上端部側に装着した、開閉アーム２１８を前後回動可能に装着する。該開閉アーム２１８の上部後側には、前記非円形カム２１１の径が一定以上である部分が通過する際に接触する接触ローラ２１９を設ける。
【０１８９】
非円形カム２１１が接触すると開閉アーム２１８が前方回動して開閉ワイヤ２２０を引くことで、植付ホッパ２０ａ，２０ｂが閉じていき、非円形カム２１１が接触しなくなると開閉アーム２１８が後方回動して開閉ワイヤ２２０が緩むことで、植付ホッパ２０ａ，２０ｂが開いていく構成である。
【０１９０】
なお、植付ホッパ２０ａ，２０ｂが開くのは、下降途中から苗を植え付けて上昇し始める間であり、閉じるのは、苗を植え付けて上昇し始めてから苗を受けて再び下降する間であり、非円形カム２１１の形状は対応するものである。
【０１９１】
前記左右のホッパホルダ２１０，２１０の後部側には、機体後側に開口するコの字形状に切欠部２２１を各々形成する。該切欠部２２１の上部及び下部には、ホッパホルダ２１０の構成体が機体後方に突出するものとする。
【０１９２】
そして、前記左右のホッパホルダ２１０，２１０の後部には、図１０から図１４に示す、側面視で機体前側が開口するコの字形状の条間調節プレート２２２を設ける。該条間調節プレート２２２の上下の前方突出部２２２ａには、左右方向の切溝２２２ｂ…を、左右のホッパホルダ２１０，２１０の左右間隔と略同じ左右間隔を空けて各々形成し、該切溝２２２ｂ…各々ホッパホルダ２１０，２１０に差し込んで装着する。このとき、切欠部２２１と条間調節プレート２２２の前後間には、側面視で四角形の調整空間部２２３が形成される。
【０１９３】
前記条間調節プレート２２２は、左右中央部が上下動機構２１を構成する上下のリンクアーム２１ａ，２１ｂの後方に位置し、左右方向に略同じ長さに突出しており、機体後部に位置する上下の壁面には、左右方向に亘って条間調節長孔２２４を形成している。
【０１９４】
該条間調節プレート２２２の後部には、植付ホッパ２０ａ，２０ｂを機体後側に支持するホッパホルダ２２５を設ける。該ホッパホルダ２２５は、上部側を機体前側にＬ字状に折り曲げて接続部２２５ａを形成すると共に、左右両側には、機体後側に突出して植付ホッパ２０ａ，２０ｂとボルト等の締結部材２０９を介して連結する連結部２２５ｂ，２２５ｂを形成する。また、接続部２２５ａの下方で且つ連結部２２５ｂ，２２５ｂよりも上側の上下方向の壁面には、ボルト等の締結部材２０９の取付孔（図示省略）が一または左右方向に複数形成されている。なお、ホッパホルダ２２５は、側面視でＬ字状の接続部２２５ａを条間調節プレート２２２の上側と後部側に沿わせ、条間調節長孔２２４と取付孔が同じ上下高さに位置する状態で装着する。これにより、締結部材２０９を外す、または緩めると、ホッパホルダ２２５を条間調節プレート２２２に沿って左右方向に摺動可能になる構成である。
【０１９５】
左右の植付ホッパ２０ａ，２０ｂの左右の植付間隔、即ち条間を調節するときは、上記のとおり締結部材２０９を外すかあるいは緩め、ホッパホルダ２２５を条間調節プレート２２２の左右幅内の任意の位置に移動させ、締結部材２０９を取り付けるかあるいは締めることで決定される。
【０１９６】
なお、締結部材２０９は、ホッパホルダ２２５の取付孔を介して差し込んでおき、調整空間部２２３側に設けるナットにねじ込む、あるいは抜き出すことで位置固定状態と条間調節状態に切替可能な構成とする。
【０１９７】
上記の構成では、条間調節長孔２２４内に締結部材２０９が入り込んでいることにより、締結部材２０９がストッパとなりホッパホルダ２２５が条間調節プレート２２２の左右端部から脱落することを防止できる。
【０１９８】
左右の植付ホッパ２０ａ，２０ｂを備える、本件の条間調節構成では、左右の条間調節プレート２２２，２２２の左右間隔を大きく確保できることにより、左右の植付ホッパ２０ａ，２０ｂの条間が最も狭くなるとき、即ち各ホッパホルダ２２５，２２５を各条間調節プレート２２２，２２２の機体内側端部まで移動させたときでも、左右の植付ホッパ２０ａ，２０ｂ同士が干渉し合わない配置となる。これにより、条間をより狭く設定できるので、従来よりも多様な作業条件に対応できる。
【０１９９】
また、条間調節プレート２２２を上下動機構２１の後部に設けたことにより、条間調節プレート２２２が植付ホッパ２０ａ，２０ｂの左右移動を妨げることを防止できるので、条間調節プレート２２２の左右幅に亘ってより広い範囲で条間を設定することができ、さらに多様な作業条件に対応できる。
【０２００】
また、リンクホルダ２１０，２１０の前後間と条間調節プレート２２２の開口部の間に調整空間部２２３が形成されることにより、作業者は左右の後輪４４，４４の後側で且つ機体外側の空間部でナットを締めたり緩めたりする作業を行うことができるので、条間調節作業を能率よく行うことができる。
【０２０１】
なお、ナットの厚みは調整空間部２２３の前後幅の半分以下とすると、条間調節プレート２２２の左右中央部、即ち上下のリンクアーム２１ａ，２１ｂの後方にナット着脱用の工具を入り込ませる作業空間が確保されるので、条間調節プレート２２２の左右幅内で植付ホッパ２０ａ，２０ｂを固定できない位置が発生せず、必要な条間設定が可能になる。
【０２０２】
上記の条間調節機構では、左右の植付ホッパ２０ａ，２０ｂは基本的に左右対称の方向に移動させる。例えば、条間を７０ｃｍとするときは、左右の植付ホッパ２０ａ，２０ｂを条間調節プレート２２２，２２２の左右外側端部に各々移動させ、条間を３０ｃｍとするときは、左右の植付ホッパ２０ａ，２０ｂを条間調節プレート２２２，２２２の左右内側端部に各々移動させる。その他の条間は、条間調節プレート２２２，２２２の左右幅内の任意の位置に移動させて設定するが、条間を何ｃｍに設定しているかを作業者が視覚的にわかりやすくすべき、条間調節プレート２２２，２２２にインジケータを設けるとよい。このインジケータは、シールを印刷したものを貼り付ける、条間調節プレート２２２に書き込む、または彫り込むものとする。
【０２０３】
しかしながら、作物の種類や圃場環境によっては、幅広い畝に二条よりも多い条、例えば四条を植え付けることもあり得る。一つの畝を一往復して四条植え付ける場合、植付位置を畝の進行方向における左右一側にオフセットさせるべく、左右の植付ホッパ２０ａ，２０ｂを共に条間調節プレート２２２，２２２の左右一側に寄せても苗の植付を行うことが可能である。これにより、さらにさらに多様な作業条件に対応できる。
【０２０４】
前記植付ホッパ２０ａ，２０ｂは、ホッパホルダ２２５の上方にホッパカバー２２６を機体後側向きに向けて被せ、機体後側で且つ左右両側の上面を切り欠いて開放空間部を形成する。そして、前記ホッパホルダ２２５の後部側の壁面とホッパカバー２２６の後部側の壁面の前後間に左右の回動支軸２２７，２２７を各々設け、該回動支軸２２７，２２７には各々回動アーム２２８，２２８を回動可能に装着する。該左右の回動アーム２２８，２２８は、大部分が開放空間部から上方に突出させる。
【０２０５】
該左右の回動支軸２２７，２２７は、リンクホルダ２１０，２１０の切欠き部２２１や、条間調節プレート２２２よりも機体下側に配置する。
【０２０６】
これにより、ホッパホルダ２２５側の回動支軸２２７，２２７を条間調節プレート２２２の下部側で、且つリンクホルダ２１０，２１０と前後間隔を大きく開けることなく配置できるので、植付ホッパ２０ａ，２０ｂの前後位置が後ろに寄り過ぎず、コンパクトな構成とすることができる。
【０２０７】
なお、該回動アーム２２８，２２８のうち、機体外側に開閉ワイヤ２２０のケーブルアウターを装着し、機体内側にケーブルインナーを接続して、開閉ワイヤ２２０の引っ張りと弛みにより左右の回動アーム２２８，２２８が回動する構成とする。
【０２０８】
また、前記左右の回動支軸２２７，２２７には、左右一対のホッパステー２２９，２２９を下部側に装着する、コの字形状の開閉アーム２３０，２３０を左右回動可能に各々装着する。該開閉アーム２３０，２３０は、ホッパステー２２９，２２９の前後及び側面の上方を覆う形状であり、図１３に示すとおり、前後面の上部側には、左右方向の凹凸が上下方向に交互に噛み合うギア部２３０ａ，２３０ａが各々形成されている。このギア部２３０ａ，２３０ａの噛み合いにより、開閉アーム２３０，２３０の開閉時の回動量を同調させる構成であり、植付ホッパ２０ａ，２０ｂから苗を偏りなく開放可能な開度となる構成とする。
【０２０９】
また、開閉アーム２３０，２３０の前後面の機体下部側には、左右各々に支持ピン２３２，２３２を設け、該左右の支持ピン２３２，２３２に、左右の開閉アーム２３０，２３０を互いに近接し合う方向に付勢するスプリング２３３を前後に各々配置する。
【０２１０】
また、前記ホッパステー２２９，２２９は、前後の上方に折り曲げた部分を開閉アーム２３０，２３０の前後部と連結し、前後方向の底部の各機体内側部には、左右一対のホッパ構成体２３１，２３１を装着する半円形状の切欠部（図示省略）を形成している。該左右のホッパ構成体２３１，２３１は、開くときには下端部側ほど左右方向に大きく開くと共に、閉じたときは上下に亘って端面同士が略均等に接する構成とする。また、ホッパ構成体２３１，２３１の下端部付近は板状に形成し、土中に進入するときの抵抗を軽減する形状とする。
【０２１１】
さらに、前記ホッパカバー２２６に、左右のホッパ構成体２３１，２３１の最上部と略同径、乃至僅かに小径の開口部（図示省略）を形成し、この開口部に、苗供給装置４３から供給される苗を入り込ませて左右のホッパ構成体２３１，２３１の内部に案内する苗ガイド２３４を差し込んで装着する。なお、前記左右のホッパ構成体２３１，２３１の上端部付近の径は、上端部付近から下側の径よりも大径とする。
【０２１２】
該苗ガイド２３４のうち、ホッパカバー２２６よりも下側は略同径とし、ホッパカバー２２６よりも上側は、機体上側ほど大径に構成し、側面視及び背面視でテーパ形状とする。
【０２１３】
苗ガイド２３４の上部側がテーパ形状であることにより、上端側の径が最大になるので、苗が落下供給される位置が多少ずれても苗を受け止めることができ、植付ホッパ２０ａ，２０ｂが苗を植え付け損なうことが防止される。
【０２１４】
また、苗ガイド２３４の下部側の径を、ホッパ構成体２３１，２３１の上端部の径と略同径、乃至僅かに小径としたことにより、苗ガイド２３４とホッパ構成体２３１，２３１の間に隙間が生じないので、苗を確実に引き継がせることができ、確実に苗を植え付けられる。
【０２１５】
各苗収容体２２は、上下に開口する筒状体と、その筒状体の下側の開口部を開閉する底蓋２２ａを有し、互いにループ状に連結している。
【０２１６】
移動機構２３は、連結した各苗収容体２２が左右の植付ホッパ２０ａ，２０ｂの上方近傍を通過する状態で、機体平面視で左右に長い長円形状のループ状の軌跡で、連結した苗収容体２２を左回りに周回動させる。
【０２１７】
苗落下機構は、苗収容体２２の底蓋２２ａを、その苗収容体２２に対応する、植付ホッパ２０ａ，２０ｂの上方位置で開放する。
【０２１８】
本実施の形態では、苗収容体２２の外周に円筒外周部を形成し、その円筒外周部に外側から回動自在に接続する係合部（丸孔）を設けて、２つの苗収容体２２を連結する連結体を複数形成した。そして、その連結体の係合部を苗収容体２２の円筒外周部に回動自在に接続し、その円筒外周部を回動軸として隣の苗収容体２２が回動自在に連結する状態として、複数の苗収容体２２を互いに連結した構成としている。すなわち、苗収容体２２と連結体とで無端チェーンの如く連結した構成である。
【０２１９】
これにより、苗収容体２２は、直線的に移動する直線状部分２８でも円弧状に移動する円弧状部分２９でも隣接する苗収容体２２との間隔が変わらないので、苗収容体２２から左右の植付ホッパ２０ａ，２０ｂに苗を供給する個所で、苗収容体２２の左右の植付ホッパ２０ａ，２０ｂを基準とした位置ズレが生じ難くなり、苗供給が適正に行われて適確な苗の植え付けが出来る。
【０２２０】
苗供給装置４３の移動機構２３は、無端チェーンの如く互いに連結する苗収容体２２を、左右に設けたスプロケットの外周の円弧状切欠部に巻き掛け、この左右のスプロケットを伝動ケース２６内から取り出した動力で駆動回転することにより、各苗収容体２２を周回動させる構成としている。この動力を伝動する、図２７及び図２８等に示す苗供給シャフト２７は、９０度位相を変えて装着することにより、移動機構２３により苗収容体２２…が移動して左右の植付ホッパ２０ａ，２０ｂに苗を落下供給するタイミングを変更するものである。なお、本件の構成では、苗供給装置４３の駆動、及び左右の植付ホッパ２０ａ，２０ｂの昇降駆動は同一の伝動ケース２６で行っているので、ミッションケース３９から伝動される駆動力を増減させると、苗供給装置４３及び左右の植付ホッパ２０ａ，２０ｂは連動して作動速度が変化する。
【０２２１】
苗収容体２２が周回する周回移動経路は、平面視で左右方向に延びる直線状部分２８と、スプロケットにより直線状部分２８から前側または後側に円弧状に曲がる円弧状部分２９とを備えた長円状であり、左右の後輪４４より機体内側に配置されている。
【０２２２】
前記苗供給装置４３の苗収容体２２は、直線状部分２８では比較的安定して所定方向に移動するが、左右両側部の円弧状部分２９では、苗収容体２２同士の間隔が狭まったり広くなったりして、苗供給装置４３の駆動に負荷を与えて破損させたり、苗の落下供給タイミングが不安定になったりするおそれがある。これを防止すべく、複数の苗収容体２２の内周縁部で、且つ苗供給装置４３の左右両外側部には、駆動回転するスターホイル２４０，２４０を各々設けており、該スターホイル２４０，２４０の外周縁部には等間隔に突起部が形成されている。これらの突起部を苗収容体２２の間隔部に入り込ませることで、苗供給装置４３の左右両側の円弧状部分２９を通過するときの各苗収容体２２の位置を各々保つことにより、過負荷の発生や、苗の落下供給タイミングのズレの発生を防止している。
【０２２３】
作業者は、作業座席４６に着座、あるいはフロアステップ１２２上に立って苗供給装置４３に苗の供給作業を行うが、補充用の苗が無くなったときや何らかの問題、例えば苗の植付姿勢が連続して異常、苗が植え付けられない等、が生じたときは、走行車体４０の走行の停止や、植付ホッパ２０ａ，２０ｂの駆動を止める必要がある。また、作業者のペースよりも走行速度や植付ホッパ２０ａ，２０ｂの昇降ペースが速いときは、エンジン４１の出力を低下させ、作業を行いやすい速度に変化させる必要がある。
【０２２４】
上記の操作を、図４及び図５に示すとおり、作業座席４６に着座したまま、あるいはフロアステップ１２２上から降りることなく行うべく、前記苗供給装置４３の機体前側で、且つ左右一側端部、即ち、作業座席４６に着座した作業者の右手側には、エンジン４１の始動の可否を切り替えると共に停止操作を行う第２エンジンスイッチ４０８を設けると共に、該第２エンジンスイッチ４０８よりも機体内側（機体左右他側）寄りとなる位置には、エンジン４１の出力を増減操作する第２スロットルレバー４０９を機体左右方向に回動操作可能に設ける。
【０２２５】
なお、前記第２エンジンスイッチ４０８は、第１エンジンスイッチ４０７と同じ操作方法であるが、エンジン４１は、これら第１エンジンスイッチ４０７と第２エンジンスイッチ４０８の両方が入位置に操作されていなければ始動しないものとする。
【０２２６】
これにより、移動時等作業者が機体の後方で操縦ハンドル４７を握って操縦するときは第１エンジンスイッチ４０７で停止操作ができると共に、苗の植付作業時等走行車体４０に搭乗しているときは第２エンジンスイッチ４０８を切操作してエンジン４１を停止させることができるので、搭乗中に走行車体４０から降りて第１エンジンスイッチ４０７を切操作しに行く必要が無く、植付あるいは機体に問題を生じさせる動作を中断することができる。
【０２２７】
また、第２スロットルレバー４０９を走行車体４０上から操作できるので、エンジン４１の出力を増減操作する際に走行車体４０を乗り降りする必要が無く、作業能率や作業精度が向上する。
【０２２８】
また、左右の植付ホッパ２０ａ，２０ｂは、後輪車軸１２の位置よりも後側に配置している。
【０２２９】
苗供給装置４３は、左右の植付ホッパ２０ａ，２０ｂに合わせて苗収容体２２が一回りで周回移動して苗を供給する構成としている。
【０２３０】
植付ホッパ２０ａ，２０ｂは、それぞれ第１落下供給位置３１ａ及び第２落下供給位置３１ｂで、苗収容体２２から苗が落下供給される。
【０２３１】
そして、左右の植付ホッパ２０ａ，２０ｂに対応して落下供給する苗を収容する苗収容体２２を各別に設けており、苗収容体２２が対応する左右の植付ホッパ２０ａ，２０ｂの上方にきたときのみ底蓋２２ａが開き、対応しない左右の植付ホッパ２０ａ，２０ｂの上方では底蓋２２ａが開かない構成としている。
【０２３２】
すなわち、植付ホッパ２０ａに対応する苗収容体２２は第１落下供給位置３１ａにきたときのみ、植付ホッパ２０ｂに対応する苗収容体２２は第２落下供給位置３１ｂにきたときのみ、それぞれの底蓋２２ａが開いて対応する植付ホッパ２０ａ，２０ｂに苗が供給される構成となっている。
【０２３３】
より具体的には、底蓋２２ａの外周縁部の一部には凸部２２ｂが形成されており、複数の苗収容体２２は、凸部２２ｂを苗供給装置４３の外周側と内周側に交互に向けて配置する。そして、移動機構２３には、底蓋２２ａの底部に下方から接触して底蓋２２ａを閉じた状態に維持する閉鎖レール（図示省略）が、機体後部側の直線部分２８を除いて形成されており、苗の搬送中、及び苗の落下供給後に底蓋２２ａが閉じられた状態となる構成としている。そして、図２９及び図３０に示すとおり、機体後部側の直線部分２８には、左右の植付ホッパ２０ａ，２０ｂに苗が落下供給される位置以外では底蓋２２ａの底部に接触すると共に、凸部２２ｂが苗供給装置４３の外周を向いた底蓋２２ａ及び内周を向いた底蓋２２ａが各々の所定位置に到達すると、底蓋２２ａに接触しなくなり底蓋２２ａを開放し、苗を落下供給させる落下位置プレート３４０を設ける。
【０２３４】
上述のとおり、前記左右の植付ホッパ２０ａ，２０ｂは左右間隔を調節可能であるので、左右間隔を調節したときは、苗供給装置４３から苗が落下供給されるタイミングを変更する必要がある。このとき、苗供給シャフト２７の位相の変更を忘れていると、苗の落下供給時に左右の植付ホッパ２０ａ，２０ｂが苗供給装置４３から下方に離間した位置で苗が落下供給されることになり、苗が左右の植付ホッパ２０ａ，２０ｂに入り込まないと、圃場に落下してしまうことになる。しかしながら、外観から苗供給シャフト２７の位相の変更は確認しにくい。
【０２３５】
この問題を解消すべく、図３０及び図３２に示すとおり、苗供給装置４３の機体後側に設ける落下位置プレート３４０の左右中央部付近に、左右の植付ホッパ２０ａ，２０ｂの設定左右間隔に合わせて、苗供給シャフト２７を調整できているかどうかを確認する、複数の調節目印孔３４１Ｌ，３４１Ｒを形成する。
【０２３６】
前記苗供給シャフト２７の取付位相を９０度変更すると、苗収容体２２…は搬送方向上手側、または下手側に苗収容体２２の一つ分移動する。即ち、ある苗収容体２２を基準として、周回移動の始点が搬送方向上手側または下手側に移動し、落下供給タイミングが変化することになる。
【０２３７】
前記調節目印孔３４１Ｌ，３４１Ｒに対応しているかどうかの判断は、前記底蓋２２ａに形成された凸部２２ｂのうち、苗供給装置４３の外周に向かうもので判断する。
【０２３８】
例えば、左右の植付ホッパ２０ａ，２０ｂの左右間隔を最も狭い〜狭い範囲（例：３０〜４０ｃｍ間隔）、または広い〜最も広い範囲（例：６０〜７０ｃｍ間隔）としたときは、苗供給装置４３の搬送方向上手寄りの調節目印孔３４１Ｌの前方に凸部２２ｂが位置していれば、適切に苗供給シャフト２７が調節されていると考えられる。これらの範囲では、苗供給装置４３の搬送方向上手側寄りとなる位置で苗を落下供給させると、左右の植付ホッパ２０ａ，２０ｂが苗供給装置４３に上方移動して接近しているので、落下中に左右の植付ホッパ２０ａ，２０ｂに確実に投入ができる。これにより、苗の植付が行われない箇所が発生することが防止され、後から手作業で植え付ける必要が無くなる。
【０２３９】
一方、左右の植付ホッパ２０ａ，２０ｂの左右間隔を中程度の所定範囲（例：４０〜６０ｃｍ間隔）としたときは、苗供給装置４３の搬送方向下手寄りの調節目印孔３４１Ｒの前方に凸部２２ｂが位置していれば、適切に苗供給シャフト２７が調節されていると考えられる。これらの範囲では、苗供給装置４３の搬送方向下手側寄りとなる位置で苗を落下供給させると、左右の植付ホッパ２０ａ，２０ｂが苗供給装置４３に上方移動して接近しているので、落下中に左右の植付ホッパ２０ａ，２０ｂに確実に投入ができる。これにより、苗の植付が行われない箇所が発生することが防止され、後から手作業で植え付ける必要が無くなる。
【０２４０】
なお、前記苗収容体２２…は周回移動を繰り返す構成であるが、円弧状部分２９では、遠心力や移動に伴うガタつきにより、外周方向に向かってはみ出そうとすることがある。苗収容体２２…はメンテナンスや交換の容易性を目的として強固に固定されていないので、はみ出そうとする力が強くかかると、脱落してしまうことがある。
【０２４１】
これを防止すべく、図２７から図３０に示すとおり、苗搬送装置４３の機体後側の半周は、苗収容体２２…の移動経路に沿う半楕円形状のガイドレール３４２を装着する。なお、機体前側の半周は、カバーフレーム３４３で覆うことにより、該ガイドレール３４２と同様に苗収容体２２…の脱落を防止しつつ、移動経路を安定させる構成とする。該ガイドレール３４２の上端部は、苗収容体２２の上下方向中央部付近、あるいはやや上部位置と同じ高さに設定する。
【０２４２】
なお、苗収容体２２…は苗の投入の有無を確認しやすくすべく半透明の素材で構成しており、この視認性を阻害することを防止すべく、ガイドレール３４２は細い丸パイプを曲げて構成し、左右中央部及び左右両端側に、側面視でＺ字形状となる取付プレート３４４Ｃ，３４４Ｌ，３４４Ｒを設けて構成する。
【０２４３】
上記のガイドレール３４２は、前記落下位置プレート３４０の上部に取付プレート３４４Ｃ，３４４Ｌ，３４４Ｒを載せて、ボルト等の固定部材で装着するが、最初の一か所を固定部材で装着する際、締め込みの回転によりガイドレール３４２も回転してしまい、取付作業に時間を要する問題が生じ得る。
【０２４４】
これを防止すべく、図３２（ａ）（ｂ）及び図３３（ａ）（ｂ）に示すとおり、落下位置プレート３４０に取付プレート３４４Ｃ，３４４Ｌ，３４４Ｒを取り付ける位置には、前後または左右の取付孔部３４５，３４５を形成し、取付プレート３４４Ｃ，３４４Ｌ，３４４Ｒの下部には、取付孔部３４５，３４５に対応する取付突起３４６，３４６を各々形成する。
【０２４５】
取付突起３４６，３４６を取付孔部３４５，３４５に差し込んでから固定部材を締め込むことにより、ガイドレール３４２が回転することを防止できるので、取付作業能能率が向上する。
【０２４６】
なお、上記の例では、苗収容体２２と接触してもガイドレール３４２が少しずつ回動することを防止すべく取付プレート３４４Ｃ，３４４Ｌ，３４４Ｒを三つ設けているが、固定部材の取り付け方等により、苗収容体２２と接触しても回動しないのであれば、左右中央部の取付プレート３４４Ｃだけで取り付ける構成としてもよい。
【０２４７】
また、左右中央部に位置する取付プレート３４４Ｃは、前記左右の調節目印孔３４１Ｌ，３４１Ｒの左右間に設けるものとし、多少ガイドレール４３２が回動しても回動の影響が生じにくくするとよい。
【０２４８】
前記ガイドレール４３２に接触すると、苗収容体２２の外周面は僅かに摩耗し、これが蓄積していくと最終的に穴が開いてしまうことがある。細い苗はこうした穴に入り込み得るので、著しく摩耗した苗収容体２２は交換する必要があるが、できるだけ苗収容体２２がガイドレール４３２に接触しないのであれば、交換の頻度は低いものとなる。
【０２４９】
従って、図３１に示すとおり、ガイドレール４３２のうち、苗供給装置４３の円弧状部分２９に対応する屈曲部分の曲率を変更し、苗供給装置４３、ひいては苗収容体２２…から外周方向に離間する構成とするとよい。
【０２５０】
これにより、大きくはみ出そうとする苗収容体２２の移動を規制しつつ、僅かにはみ出ているものの、直線部分２８に到達する頃には元に戻り得る苗収容体２２とガイドレール４３２の接触が生じにくくなるので、苗収容体２２の摩耗が抑えられる。これにより、苗収容体２２の交換頻度が抑えられる。
【０２５１】
本件の移植機には、苗供給装置４３に苗を補給する作業者が乗車して苗補給作業を行うべく、作業者が座る作業座席４６を設けている。具体的には、苗供給装置４３の前側となる機体左右中央位置に後向きに作業座席４６を配置している。作業座席４６に座る作業者は、苗供給装置４３の前側部に向って後側向き姿勢で着座して、苗供給装置４３の前側部、特に苗収容体２２の周回移動経路における前側の直線状部分２８に対応して苗補給作業を行う。
【０２５２】
また、前記操縦パネル４７ａの左右他側には、ミッションケース３９に内装され、左右の走行伝動ケース３８及び伝動ケース２６への駆動力の伝動を入切する主クラッチレバー１２５を設ける。
【０２５３】
本発明の移植機において、機体後部の操縦ハンドル４７による作業者の操作は、圃場への移動、輸送手段からの積み下ろし、倉庫への収納や、圃場端での旋回のときに行われるものである。一方、苗の植付作業時には、作業者は走行車体４０の作業座席４６に搭乗しており、操縦ハンドル４７の操縦パネル４７ａでの操作を行うことは困難である。
【０２５４】
従って、走行車体４０上には、作業座席４６に搭乗した作業者用の、車体上操縦部１２６を設ける。
【０２５５】
図４及び図１９に示すとおり、前記苗供給装置４３の下部には、機体後側に上方傾斜する後部ステップ１２７を設け、該後部ステップ１２７の左右どちらか一側、本件では機体右側（作業座席４６に着座した作業者を基準とすると左側）の端部に、図４、図５及び図１９に示すとおり、車体上操縦部１２６を設ける。
【０２５６】
該車体上操縦部１２６は、最も機体外側に、走行車体４０の車高を調節して植付ホッパ２０ａ，２０ｂの植付深さを調節する第２車高調節レバー１２８を配置し、該第２車高調節レバー１２８よりも機体内側に、第２主クラッチレバー１２９を配置する。
【０２５７】
なお、苗の植付作業時は、基本的に車高を固定する必要が無いので、第２車高調節レバー１２８は「高」ポジションと「低」ポジションのみを有する構成とする。
【０２５８】
そして、前記後部ステップ１２７の外側端部には、第２車高調節レバー１２８を枠内に収めると共に車高の目安を示す表示目盛りを形成した車高調節レバーガイド１３０を機体前側に向かう上方傾斜姿勢で設け、該車高調節レバーガイド１３０の機体内側方には、第２主クラッチレバー１２９を枠内に収める主クラッチレバーガイド１３１を機体前側に向かう上方傾斜姿勢で設ける。
【０２５９】
なお、第２車高調節レバー１２８は、第２主クラッチレバー１２９よりも機体前側への突出量を大きくする。
【０２６０】
また、前記第２車高調節レバー１２８と第２主クラッチレバー１２９は、機体左右一側（機体右側）の前記取付支持プレート１０５、及び前後の梁フレーム１０６ｆ，１０６ｒに基部側を回動可能に装着するものとすると、別途取付部材を設ける必要が無く、部品点数の削減が図られる。
【０２６１】
さらに、前記車体上操縦部１２６よりも機体左右他側、即ち機体左側には、左右のサイドクラッチを入切操作するサイドクラッチペダル１３２Ｌ，１３２Ｒを、後部ステップ１２７の上面に露出させて設ける。
【０２６２】
前記車高調節レバーガイド１３０と主クラッチレバーガイド１３１は、側部ステップ１１８の上面との間に一定の上下間隔Ｓを空けて配置するものとする。上記の上下間隔Ｓは、作業者の足を入り込ませても空間が確保される程度（例：１５〜２０ｃｍ程度）とする。
【０２６３】
上記構成により、フロアステップ１２２上、及び作業座席４６に搭乗した作業者は、走行車体４０から降りることなく植付深さの手動操作や、植付作業の入切を手動操作することができるので、作業能率が向上すると共に、苗の植付精度が向上する。
【０２６４】
また、第２主クラッチレバー１２９を第２車高調節レバー１２８よりも作業座席４６に近付く機体内側に配置したことにより、苗の補充や植付状態の修正、休憩等の際に使用する第２主クラッチレバー１２９に作業者の手が届きやすく、労力の軽減が図られる。
【０２６５】
特に、問題の発生時に速やかに苗の植付作業を中断でき、苗の植え直し作業が不要になると共に、生育に適さず破棄される苗の数が減少する。
【０２６６】
また、第２車高調節レバー１２８を第２主クラッチレバー１２９よりも機体前側に突出させたことにより、作業座席４６から遠い側の第２車高調節レバー１２８を操作する際に腕を大きく伸ばす必要が無く、作業者の労力が軽減される。
【０２６７】
そして、後部ステップ１２７に左右のサイドクラッチペダル１３２Ｌ，１３２Ｒを設けたことにより、走行車体４０の進行方向が畝を基準とする直進方向から外れかけているときに前記サイドクラッチペダル１３２Ｌ，１３２Ｒのどちらかを操作して対応するサイドクラッチを一時的に切状態とすることで、走行車体４０の進路を修正でき、苗の植付位置が左右方向に蛇行することが防止される。
【０２６８】
また、車高調節レバーガイド１３０と主クラッチレバーガイド１３１、即ち車体上操縦部１２６と側部ステップ１１８の上下間に上下間隔Ｓが形成される構成としたことにより、作業座席４６に搭乗する作業者の足の動きが妨げられず、作業者は楽な姿勢で操縦座席４６に搭乗でき、労力の軽減が図られる。
【０２６９】
作業座席４６の左右両側で機体側面視で後輪４４の後輪車軸１２の上方位置に、苗供給装置４３に補給する苗を収容可能な予備苗枠５０を設けている。
【０２７０】
前記予備苗枠５０は、走行車体４０の機体外側に突出する苗載支柱５１の上部に支持ステー５２を設け、該支持ステー５２に回動状態と非回動状態を切替可能な苗載回動アーム５３を設け、該苗載回動アーム５３には上下方向の苗枠フレーム５４，５４を間隔を開けて配置すると共に、該苗枠フレーム５４，５４の同じ面に、補充用の苗を収容する苗箱や苗トレイ等の容器を載置する載置台５５の一側端部を装着して構成する。
【０２７１】
該載置台５５は、上下方向に一つだけ設けてもよいが、容器の取り出しに支障の無い上下方向の間隔を空けて複数配置してもよい。
【０２７２】
上記構成の予備苗枠５０は、走行車体４０の左右両側に各々設け、状況に合わせて支持ステー５２上で苗載回動アーム５３を回動させる。
【０２７３】
例えば、苗の植付作業時には、載置台５５の長手方向を機体前後方向に向けることで、載置台５５から苗の容器を取り出したり、空になった容器を戻しやすくすることで、作業能率を向上させることができる。
【０２７４】
また、この位置では載置台５５が走行車体４０の左右両側に位置するので、作業者が走行車体４０の搭乗可能な部分の端部を把握しやすくなり、走行車体４０上から足がはみ出し、姿勢を崩すことが防止される。
【０２７５】
また、走行車体４０に作業者が乗り降りするときには、苗載回動アーム５３を約９０度回動させる。
【０２７６】
これにより、走行車体４０の左右両側に乗り降りの空間部が形成される。
【０２７７】
また、作業者は走行車体４０の機体前側からも乗り降りすることができるが、苗載回動アーム５３を回動させて苗枠フレーム５４，５４が機体前側に位置し、載置台５５が機体後側に位置する状態とすると、作業者は苗枠フレーム５４，５４を手摺りとして用いることができるので、走行車体４０の乗り降りを円滑に行うことができる。
【０２７８】
また、載置台５５に苗の容器を積載、あるいは取り出す際、機体後側からであれば容器の積載、取り出しを妨げる部材が無いので、作業能率が向上する。
【０２７９】
前記作業座席４６の走行車体４０への取付は、正面視または背面視においてコの字形状であり、エンジン４１等の上方を覆う機体カバー４８を跨ぐ座席フレーム４９のうち、機体左右方向となる部分の上部に装着する。該座席フレーム４９の上部には、機体前側に向かう左右のシートステー４９ａの基部が装着されており、作業座席４６は左右のシートステー４９ａの基部側の左右方向の回動支点を中心に、機体前後方向に回動可能に装着される。
【０２８０】
これにより、作業座席４６を苗供給装置４３の機体前側端部付近に接触する姿勢で載置できるので、作業中断時に作業者の着座部分に砂や雨水が付着することを防止できる。
【０２８１】
圃場に苗を移植する際、圃場の土質や周辺の水環境、あるいは作業前の天候等の条件を考慮して、植え付けた苗の付近に水を供給する、所謂灌水作業を行うことがある。
【０２８２】
本件の移植機には、図１から図５に示すとおり、左右の走行伝動ケース３８，３８に、水タンク６００を積載する水タンクホルダ６０１を各々設けている。該水タンクホルダ６０１は、図３４から図３８に示すとおり、走行伝動ケース３８の機体外側上部にボルト等の固定部材を介して装着する、正面視凹形状の第１ホルダ部材６０２と、走行伝動ケース３８の機体外側上部にボルト等の固定部材を介して装着する、側面視凹形状の第２ホルダ部材６０３と、該第１ホルダ部材６０２及び第２ホルダ部材６０３の上部に設けられ、水タンク６００の外周縁部を包囲するガイドバー６０４と、走行伝動ケース３８の機体内側及び外側の上部に設けられ、第１ホルダ部材６０２と第２ホルダ部材６０３を各々取り付ける一対のホルダ取付プレート６０５，６０５で構成する。
【０２８３】
前記第１ホルダ部材６０２は、左右両端部に各々第１上方屈曲部６０２ａが形成されると共に、機体外側には第１下方屈曲部６０２ｂが形成され、この第１下方屈曲部６０２ｂが機体外側に設けられるホルダ取付プレート６０５に装着される。そして、前記第２ホルダ部材６０３は、前後両端部に各々第２上方屈曲部６０３ａが形成されると共に、左右側面のうち機体外側に第２下方屈曲部６０３ｂが形成され、この第２下方屈曲部６０３ｂが機体内側に設けられるホルダ取付プレート６０５に装着される。
【０２８４】
また、左右の第１上方屈曲部６０２ａ，６０２ａ、及び前後の第２上方屈曲部６０３ａ，６０３ａの上端部に、ガイドバー６０４を固定して設ける。なお、ガイドバー６０４の上下位置は、左右の第１上方屈曲部６０２ａ，６０２ａ、及び前後の第２上方屈曲部６０３ａ，６０３ａの上端部よりも下側であってもよく、上端部と、上端部よりも下方に複数設ける構成としてもよい。
【０２８５】
なお、左右の第１上方屈曲部６０２ａ，６０２ａ、及び前後の第２上方屈曲部６０３ａ，６０３ａの上下高さは全て同じとすると、上端部にガイドバー６０４を装着した際、偏りなく水タンク６００を受けることができる。
【０２８６】
そして、前記第１ホルダ部材６０２は、第２ホルダ部材６０３の前後方向における中央位置の上部に設けられ、水タンク６００の前後左右を包囲し、且つ走億伝動ケース３８を跨いで配置される。
【０２８７】
上記の構成では、一対の取付プレート６０５，６０５を介して第１ホルダ部材６０２及び第２ホルダ部材７０３を走行伝動ケース３８に装着しているので、水タンクホルダ６０１を取り外すとき、走行伝動ケース３８に一対の取付プレート６０５，６０５を残しておくことができるので、水タンクホルダ６０１を装着する際に取付位置が分かりやすくなる。
【０２８８】
また、走行伝動ケース３８の機体上側位置で着脱作業を行えるので、作業者の手や工具を入り込ませやすく、且つ作業を妨害する部材が周囲に少ないので、メンテナンス作業の能率が向上する。
【０２８９】
なお、上記の第１ホルダ部材６０２は水タンク６００の左右幅より僅かに広く、第２ホルダ部材６０３は水タンク６００の前後長さよりも僅かに長くし、水タンク６００の出し入れがしやすく、且つ植付作業中に前後左右に移動しにくい構成とするとよい。
【０２９０】
一方、第２水ホルダ部材６０３の前後長さを水タンク６００の前後長さよりも長くして、水タンク６００を前後スライド可能に積載する構成とすると、旋回時に走行車体４０の後側を押し下げる際、水タンク６００と収容される水の重量を機体後寄りにすることができるので、押し下げに要する力の軽減が図られる。
【０２９１】
また、植付作業中は水タンクホルダ６０１の機体前側寄りに水タンク６００を積載し、水タンク６００及び水の重量で機体前側に重量をかけ、機体前側が浮き上がり、苗が後傾斜した姿勢で圃場に植え付けられることを防止できる。
【０２９２】
このとき、第１ホルダ部材６０２は、第２ホルダ部材６０３の前後方向中央から機体前側、後側にずれた位置に配置してもよく、また、前後方向に複数配置する構成としてもよい。
【０２９３】
該水タンク６００に貯留された灌水用の水は、走行車体４０の底部で、且つ機体前後中央付近に設けられる灌水ポンプ７００の動作によって汲み上げられると共に、植付ホッパ２０ａ，２０ｂが苗を植え付ける位置に排出される。該灌水ポンプ７００は、植付ホッパ２０ａ，２０ｂの数に合わせて配置し、走行車
体４０の左右中央部を基準として、間隔を空けて左右に配置する。
【０２９４】
前記灌水ポンプ７００にホースを装着し、水タンク６００から灌水ポンプ７００を経由して散水ノズル７１０から水を排出する構成とすることもできるが、灌水ポンプ７００のピストンシリンダ（図示省略）の動作により、排出方向に送り出された水の一部が水タンク６００側に戻されることがある。これにより、圃場に供給される１回当たりの灌水量が減少し、水不足により苗の生育が遅れたり、生育不良により収穫物の品質を低下させるおそれがある。
【０２９５】
これを防止すべく、前記左右の側部ステップ１１８の機体外側の下部に、送水方向を一方に制限するチェックバルブ７２０を各々設け、水タンク６００とチェックバルブ７２０の給水側を吸水ホース７２１で連結すると共に、チェックバルブ７２０の排水側と排水ノズル７１０を排水ホース７２２で連結する。また、チェックバルブ７２０と灌水ポンプ７００を、中継ホース７２３で連結する。
【０２９６】
より具体的には、図１７で示すとおり、まず、機体前側から後側への送水を許容する方向に向けた吸水チェックバルブ７２４と排水チェックバルブ７２５を上下に並べて側部ステップ１１８の機体外側端部の下部に装着する。そして、前記吸水ホース７２１の一側を水タンク６００内に入り込ませ、他側を吸水チェックバルブ７２４の入口、即ち機体前側と連結し、前記排水ホース７２２の一側を排水チェックバルブ７２５の出口、即ち機体後側と連結し、他側を前記排水ノズル７１０に連結する。
【０２９７】
前記灌水ポンプ７００には、機体左右方向の第１中継ホース７２３ａの基部側を装着し、端部側には、三又形状の分岐ジョイント７２３ｄの収束ポートを装着する。そして、該分岐ジョイント７２３ｄの吸水ポートと吸水チェックバルブ７２４の出口（機体後側）の間には、第２中継ホース７２３ｂを設け、分岐ジョイント７２３ｄの排水ポートと排水チェックバルブ７２５の入口（機体前側）の間には、第３中継ホース７２３ｃを設ける。
【０２９８】
なお、排水ノズル７１０は、圃場に直接水を供給してもよいが、植付ホッパ２０ａ，２０ｂの上側開口部から内部に灌水をある程度の水勢で投入し、植付ホッパ２０ａ，２０ｂ内に付着した泥土の除去に利用する構成としてもよい。
【０２９９】
これにより、植付ホッパ２０ａ，２０ｂが開いている間に内部に入り込み、泥土を除去するスクレーパが不要になるので、部品点数の削減が図られる。
【０３００】
上記スクレーパが、植付ホッパ２０ａ，２０ｂの昇降に連動して所定の軌跡を描くものであれば、所定の軌跡で昇降させる機構の部品を削減できるので、部品点数の大幅な削減と、機体構成の簡略化が図られる。
【０３０１】
さらに、泥土を灌水で圃場に戻すことができるので、圃場外を泥土で汚染することを防止できると共に、圃場内の養分の流出が軽減される。
【０３０２】
上記構成により、チェックバルブ７２０が機体左右外側の空間部に配置されるので、詰まり等の問題が生じた際に原因の調査やメンテナンス作業が行いやすく、労力の軽減や作業時間の短縮が図られる。
【０３０３】
また、吸水チェックバルブ７２４と排水チェックバルブ７２５の送水方向が同じになる配置としたことにより、分解後の組付作業時に取付方向を間違えにくくなり、作業能率が向上する。
【０３０４】
また、チェックバルブ７２０が水タンク６００の後側で、植付ホッパ２０ａ，２０ｂの前側で、且つ灌水ポンプ７００の機体外側に配置されることにより、吸水ホース７２１、排水ホース７２２、第１中継ホース７２３ａ、第２中継ホース７２３ｂ及び第３中継ホース７２３ｃの屈曲を最低限に抑え、且つ重複しにくい配置とすることができる。
【０３０５】
なお、吸水チェックバルブ７２４と排水チェックバルブ７２５は透明な筒とし、内部のスプリングや逆流防止用のボールを外部から確認できるものとすると、送水方向が視認でき、取付間違いがより生じにくくなる。
【０３０６】
前記植付ホッパ２０ａ，２０ｂは左右間隔を調節可能であり、左右間隔を変更したときは、苗供給装置４３の落下供給タイミングや、左右の鎮圧輪３７，３７の左右位置も変更する必要がある。これに加えて、植付ホッパ２０ａ，２０ｂが苗を圃場に植え付ける際に外周部に付着する土を削ぎ落す、ホッパスクレーパ２５の左右位置も併せて変更する必要がある。
【０３０７】
このホッパスクレーパ２５の左右調節を容易にする構成として、図３９から図４３に示すとおり、伝動ケース２６の左右側面及び背面に接触する、機体上部側が平面視でＬ字形状のサイドプレート２５８，２５８を各々設け、該サイドプレート２５８，２５８の下部側に形成する取付孔に左右方向のスクレーパフレーム２５０を差し込んで設ける。
【０３０８】
左右のサイドプレート２５８，２５８を、強度の高い伝動ケース２６の側面と背面を利用して装着することにより、左右のサイドプレート２５８，２５８の取付姿勢が安定的且つ強固なものになるので、ホッパスクレーパ２５に植付ホッパ２０ａ，２０ｂが接触する負荷がかかっても左右のサイドプレート２５８，２５８が脱落することが防止される。
【０３０９】
該スクレーパフレーム２５０には、狭い条間に設定したときのホッパスクレーパ２５を取り付ける第１取付孔２５１と、広い条間に設定したときの第２取付孔２５２を、各々左右方向に形成する。第１取付孔２５１と第２取付孔２５２は植付条数、即ち植付ホッパの数と同数スクレーパフレーム２５０に形成する。
【０３１０】
例えば、２条植えであれば、図３９に示すとおり、各第１取付孔２５１は各々機体内側寄りに形成し、各第２取付孔２５２は各々機体外側寄りに形成する。４条植であれば、図４０に示すとおり、機体左右外側寄りに配置されるホッパスクレーパ２５の第１取付孔２５１は各々機体内側に形成し、第２取付孔２５２は各々機体外側に形成すると共に、機体左右内側寄りに配置されるホッパスクレーパ２５の第１取付孔２５１は各々機体外側に形成し、第２取付孔２５２は各々機体内側に形成する。
【０３１１】
前記ホッパスクレーパ２５は、次のとおり構成する。図４１から図４３に示すとおり、第１取付孔２５１または第２取付孔２５２のどちらかに差し込むスクレーパピン２５３に、左右のスクレーパアーム２５４，２５４を、少なくとも基部側は機体上下方向に重なり合い、且つ機体後側ほど互いに左右方向に離間し合う姿勢で回動可能に装着する。また、該左右のスクレーパアーム２５４，２５４の機体後側は下方に屈曲させてスクレーパ取付部２５５，２５５を形成し、該左右のスクレーパ取付部２５５，２５５にスクレーパ板２５６，２５６の基部を各々装着させる。
【０３１２】
該左右のスクレーパ板２５６，２５６の端部は、平面視で上下に重なり合い、植付ホッパ２０ａ，２０ｂに接触することで下方に屈曲し、外周面に接触する構成としている。また、左右のスクレーパ板２５６，２５６はゴム等の軟質且つ弾力を有する素材で構成し植付ホッパ２０ａ、２０ｂから離間して復元する際、さらに植付ホッパ２０ａ，２０ｂの外周に接触する構成とする。
【０３１３】
さらに、左右のスクレーパアーム２５４，２５４の基部付近の左右間には、左右のスクレーパアーム２５４，２５４を引き寄せ合うスクレーパスプリング２５７を設け、植付ホッパ２０ａ，２０ｂと接触して開いた左右のスクレーパアーム２５４，２５４を元の位置に戻す構成としている。
【０３１４】
第１取付孔２５１または第２取付孔２５２にスクレーパピン２５３を差し込んで、割りピン等の固定部材で装着するだけでは、ホッパスクレーパ２５はスクレーパピン２５３を支点として左右方向に回動し、植付ホッパ２０ａ，２０ｂの昇降軌跡から離れた位置に移動するおそれがある。また、スクレーパスプリング２５７が左右のスクレーパアーム２５４，２５４を引き寄せ合うことにより、左右のスクレーパプレート２５６，２５６の左右幅が狭くなり過ぎて土の除去用が低下したり、植付ホッパ２０ａ，２０ｂとの接触で左右のスクレーパアーム２５４，２５４が曲げられて破損する恐れがある。
【０３１５】
このホッパスクレーパ２５の回り止めとすべく、側面視Ｌ字状の回り止めステー２５９のうち、屈曲部よりも機体上側で前後方向に延びる軸取付部２５９ａを左右のスクレーパアーム２５４，２５４よりも機体上側に臨ませると共に、屈曲部より下側で上下方向に延びる回動規制部２５９ｂを左右のスクレーパアーム２５４，２５４の左右間に臨ませて配置する。
【０３１６】
そして、スクレーパピン２５３の上端部に軸取付部２５９ａを接触させると共に、スクレーパピン２５３の上部にヘッダピン２６０を設けて、回り止めステー２５９の回り止めを行う構成とする。
【０３１７】
これにより、ホッパスクレーパ２５が回動して土の除去作用が行われなくなることや、植付ホッパ２０ａ，２０ｂに圧し潰されて変形することを防止できるので、植付ホッパ２０ａ，２０ｂに付着した土を確実に取り除くことができる。これにより、土が一部の苗の周囲に集中的に集まり過ぎることを防止できると共に、圃場外に土を持ち出し、圃場の周囲の道や、移植機を輸送する輸送手段を土で汚すことが防止される。
【産業上の利用可能性】
【０３１８】
本発明に係る移植機は、苗の植付を行う移植機の植付作業姿勢の安定化に適用でき、産業上の利用可能性が高い。
【符号の説明】
【０３１９】
２０ａ  植付ホッパ（植付装置）
２０ｂ  植付ホッパ（植付装置）
２２  苗収容体（苗収容部材）
２２ａ  底蓋（蓋部材）
２７  苗供給シャフト（苗供給伝動部材）
３７  覆土鎮圧輪（鎮圧装置）
４０  走行車体
４４  後輪（走行装置）
４６  作業座席
３１０  ローリングシリンダ（傾斜油圧シリンダ）
３１３  ローリング操作レバー（傾斜操作部材）
３１４  油圧バルブ
３１６  傾斜感知アーム
３１６  上側連結ピン（第１取付ピン）
３１９  回動ピン
３２４  自動切替プレート
３２５  下側連結ピン（第２取付ピン）
３２６  手動切替プレート
３４０  落下位置プレート（落下位置調節部材）
３４１Ｌ  調節目印孔（目印部）
３４１Ｒ  調節目印孔（目印部）
３４２  ガイドレール（周回案内部材）
３４４Ｃ  取付プレート
３４４Ｌ  取付プレート
３４４Ｒ  取付プレート
３４５  取付孔部
３４６  取付突起
３８０  ローリングセンサ（傾斜検知部材）
【図１】
2020195322.tif 000003
【図２】
2020195322.tif 000004
【図３】
2020195322.tif 000005
【図４】
2020195322.tif 000006
【図５】
2020195322.tif 000007
【図６】
2020195322.tif 000008
【図７】
2020195322.tif 000009
【図８】
2020195322.tif 000010
【図９】
2020195322.tif 000011
【図１０】
2020195322.tif 000012
【図１１】
2020195322.tif 000013
【図１２】
2020195322.tif 000014
【図１３】
2020195322.tif 000015
【図１４】
2020195322.tif 000016
【図１５】
2020195322.tif 000017
【図１６】
2020195322.tif 000018
【図１７】
2020195322.tif 000019
【図１８】
2020195322.tif 000020
【図１９】
2020195322.tif 000021
【図２０】
2020195322.tif 000022
【図２１】
2020195322.tif 000023
【図２２】
2020195322.tif 000024
【図２３】
2020195322.tif 000025
【図２４】
2020195322.tif 000026
【図２５】
2020195322.tif 000027
【図２６】
2020195322.tif 000028
【図２７】
2020195322.tif 000029
【図２８】
2020195322.tif 000030
【図２９】
2020195322.tif 000031
【図３０】
2020195322.tif 000032
【図３１】
2020195322.tif 000033
【図３２】
2020195322.tif 000034
【図３３】
2020195322.tif 000035
【図３４】
2020195322.tif 000036
【図３５】
2020195322.tif 000037
【図３６】
2020195322.tif 000038
【図３７】
2020195322.tif 000039
【図３８】
2020195322.tif 000040
【図３９】
2020195322.tif 000041
【図４０】
2020195322.tif 000042
【図４１】
2020195322.tif 000043
【図４２】
2020195322.tif 000044
【図４３】
2020195322.tif 000045